(57)【要約】  歯科矯正ブラケットが記載されており、患者の歯の前側接合面に隣接して嵌合可能に、取り外し可能に位置する、後側接合面を有するプラットフォームベースを含み、患者の歯は多段階矯正治療計画を受け、プラットフォームベースは、治療を行う臨床医によって選択された多段階歯科矯正治療計画全体を通じて患者の歯に取り付けられたままである。【選択図】図１
2018514285.tif 000002
【特許請求の範囲】
【請求項１】
患者の歯の前側接合面に隣接して嵌合可能に取り外し可能に配置される後側接合面を有するプラットフォームベースを含み、前記患者の歯は、前記患者が有する歯列矯正異常を治療するための臨床医によって提供される多段階歯科矯正治療計画を受け、前記歯科矯正治療計画は、前記患者の歯が様々な程度のトルクおよび他の力を受けることを必要とし、合わせて前記歯列矯正異常を矯正し、前記プラットフォームベースは、前記治療を行う臨床医によって選択された前記多段階歯科矯正治療計画全体を通して、前記患者の歯に取り付けられたままである、歯科矯正ブラケット。
【請求項２】
前記プラットフォームベースは、前記多段階歯科矯正治療計画を容易にするように、複数のブラケット本体と個別に、嵌合可能に、連続して協働するように動作可能である、請求項１に記載の歯科矯正ブラケット。
【請求項３】
前記複数のブラケット本体の少なくともいくつかは、前記プラットフォームベースと嵌合可能に協働する場合に、前記多段階歯科矯正治療計画の間、前記プラットフォームベースに対して調整可能に可動である、請求項２に記載の歯科矯正ブラケット。
【請求項４】
前記複数のブラケット本体の少なくともいくつかは、前記プラットフォームベースと嵌合可能に協働する場合に、前記多段階歯科矯正治療計画の間、前記プラットフォームベースに対して不動である、請求項２に記載の歯科矯正ブラケット。
【請求項５】
前記複数のブラケット本体の少なくともいくつかは、前記プラットフォームベースと協働する場合に、前記歯科矯正治療計画の間、前記プラットフォームベースに対して調整可能に可動および不動の両方である、請求項２に記載の歯科矯正ブラケット。
【請求項６】
前記プラットフォームベースと協働する前記複数のブラケット本体は、前記多段階歯科矯正治療計画の間、前記プラットフォームベースに対して不動または調整可能に可動であり、前記それぞれのブラケット本体は、従来のブラケット本体；ツインブラケット本体；パッシブセルフライゲーションブラケット本体；アクティブセルフライゲーションブラケット本体；前記プラットフォームベースに対して実質的に不動または調整可能に可動であり、ニュートラルトルク、高トルクおよび／または低トルクを発生するブラケット本体；並びに、フックおよび／または他の歯科矯正装置を有し、前記歯科矯正治療計画を受ける前記患者の歯にニュートラルトルク、低トルクおよび／または高トルクを発生するブラケット本体、をさらに含む、請求項２に記載の歯科矯正ブラケット。
【請求項７】
前記多段階歯科矯正治療計画は、個別に固有の歯列矯正異常を有する、患者の複数の歯の治療を含み、同一のプラットフォームベースが、前記多段階歯科矯正治療計画を受ける前記患者の各歯の前記前側接合面に個別に取り付けられる、請求項２に記載の歯科矯正ブラケット。
【請求項８】
前記プラットフォームベースは、前記多段階歯科矯正治療計画の間に、前記患者のそれぞれの歯に及ぼされることが可能な、臨床医によって選択された所定量のニュートラルトルクを提供するために製作可能な十分な材料厚さを有する後側接合面を有する、請求項２記載の前記歯科矯正ブラケット。
【請求項９】
前記ブラケットベースの材料厚さは、作製後の前記ブラケットベースの機械加工を可能にするように選択される、請求項８に記載の歯科矯正ブラケット。
【請求項１０】
歯科矯正ブラケットであって、
臨床医によって選択される歯科矯正治療計画を必要とする患者の歯の前側接合面に取り外し可能に保持されるプラットフォームベースと、
前記治療を行う臨床医による患者の前記歯科矯正治療計画を容易にするように、前記歯科矯正治療計画の間に、前記患者の歯の前記前側接合面から前記プラットフォームベースを取り外すことなく、前記プラットフォームベースと個別に、嵌合可能に、連続して協働することが可能な複数のブラケット本体と、
を含む、歯科矯正ブラケット。
【請求項１１】
前記プラットフォームベースは、作製後に、前記歯科矯正治療計画の間、前記患者の歯に及ぼされることが可能な、臨床医によって選択された所定量のトルクを提供するために変更可能な十分な材料厚さを有する後側接合面を有する、請求項１０に記載の歯科矯正ブラケット。
【請求項１２】
前記臨床医によって選択された所定量のトルクがニュートラルである、請求項１１に記載の歯科矯正ブラケット。
【請求項１３】
前記複数のブラケット本体の少なくともいくつかは、前記プラットフォームベースと嵌合可能に協働する場合に、前記歯科矯正治療計画の間、前記プラットフォームベースに対して調整可能に可動である、請求項１０に記載の歯科矯正ブラケット。
【請求項１４】
前記複数のブラケット本体の少なくともいくつかは、前記プラットフォームベースと嵌合可能に協働する場合に、前記歯科矯正治療計画の間、前記プラットフォームベースに対して不動である、請求項１０に記載の歯科矯正ブラケット。
【請求項１５】
前記複数のブラケット本体の少なくともいくつかは、前記プラットフォームベースと嵌合可能に協働する場合に、前記歯科矯正治療計画の間、前記プラットフォームベースに対して調整可能に可動および不動の両方である、請求項１０に記載の歯科矯正ブラケット。
【請求項１６】
前記プラットフォームベースと協働する前記ブラケット本体は、前記歯科矯正治療計画の間、前記プラットフォームベースに対して不動または調整可能に可動であり、前記それぞれのブラケット本体は、従来のブラケット本体；ツインブラケット本体；パッシブセルフライゲーションブラケット本体；アクティブセルフライゲーションブラケット本体；プラットフォームベースに対して不動または調整可能に可動であり、ニュートラルトルク、高トルクおよび／または低トルクを発生するブラケット本体；並びに、フックおよび／または他の歯科矯正装置を有し、前記歯科矯正治療計画を受ける前記患者の歯にニュートラルトルク、低トルクおよび／または高トルクを発生するブラケット本体、をさらに含む、請求項１０に記載の歯科矯正ブラケット。
【請求項１７】
前記プラットフォームベースは、作製後に一緒に取り付けられるパッドとプラットフォームとを含み、前記パッドは、前記プラットフォームに対して並置される前側接合面と、前記患者の歯に取り外し可能に取り付けられる後側接合面とを有し、前記プラットフォームは所与の形状を有する後側接合面を有し、前記パッドの前記前側接合面は、前記プラットフォームの前記後側接合面と嵌合可能に協働する相補形状を有する、請求項１０に記載の歯科矯正ブラケット。
【請求項１８】
前記プラットフォームは前側接合面を有し、前記プラットフォームの前記前側接合面と前記後側接合面との間には少なくとも１つの通路が延在し、前記パッドの前記前側接合面は、前記前側接合面から外方に延在し、前記プラットフォームに形成された前記少なくとも１つの通路内に収容されるように寸法決めされた少なくとも１つの連結部材を画定し、前記連結部材は、前記プラットフォームを前記パッドに対して適切に配向し、さらに、前記少なくとも１つの通路内の前記連結部材を前記プラットフォームに溶接することにより、前記プラットフォームを前記パッドに取り付けることを可能にする、請求項１７に記載の歯科矯正ブラケット。
【請求項１９】
前記それぞれのブラケット本体と協働するように動作可能であり、前記歯科矯正治療計画の間、前記それぞれのブラケット本体を前記患者の歯に対して所定の配向にさらに取り外し可能に固定するブラケット本体インサートをさらに含み、前記それぞれのブラケット本体は、アーチワイヤスロットを画定する前側接合面と、前記プラットフォームベースと可動に協働する反対側の後側接合面とをそれぞれ有し、前記ブラケット本体インサートは、前記アーチワイヤスロット内に収容されるよう適合可能に寸法決めされ、通路が前記アーチワイヤスロットから前記それぞれのブラケット本体の前記後側接合面まで前記それぞれのブラケット本体を通って延在し、前記ブラケット本体インサートは、遠心端を有する保持部材をさらに含み、前記保持部材は、前記ブラケット本体に対して外方に延在し、さらに前記アーチワイヤスロットから前記それぞれのブラケット本体の前記後側接合面まで延在する前記通路で収容されるように寸法決めされ、前記保持部材の前記遠心端は、前記ブラケット本体インサートの前記アーチワイヤスロットに対する制限された移動を可能にするように寸法決めされているが、前記通路からの前記保持部材の外れ、および前記アーチワイヤスロットからの前記ブラケット本体インサートの外れを防止し、前記ブラケット本体インサートの前記アーチワイヤスロットに対する前記制限された移動は、前記患者の前記歯科矯正治療計画を容易にするために、臨床医が前記プラットフォームベースに対する前記それぞれのブラケット本体の相対位置を調整することを可能にする、請求項１０に記載の歯科矯正ブラケット。
【請求項２０】
前記保持部材の前記遠心端は、前記それぞれのブラケット本体の組み立て後に増加することが可能である外径寸法を有し、前記歯科矯正治療計画の間、前記ブラケット本体インサートの前記アーチワイヤスロット内への早期の移動を妨げるように、前記アーチワイヤスロットから前記それぞれのブラケット本体の前記後側接合面に延在する前記通路に摩擦係合し、さらに、前記ブラケット本体インサートの前記アーチワイヤスロットからの離脱を防止する、請求項１９に記載の歯科矯正ブラケット。
【請求項２１】
臨床医によって決められた多段階歯科矯正治療計画を受ける患者の歯に取り外し可能に取り付けられるプラットフォームベースであって、前記プラットフォームベースは前記歯科矯正治療計画の期間中に前記患者の歯に取り付けられたままであり、前記臨床医によって選択された前記歯科矯正治療計画は、前記臨床医が前記歯科矯正治療計画を受ける前記患者の歯に１次移動、２次移動および／または３次移動を付与することを要求し得る、プラットフォームベースと、
前記臨床医によって選択され、前記歯科矯正治療計画の期間の間の、所定の選択された期間中に、前記プラットフォームベースと個別に、連続的に、取り外し可能に、嵌合可能に協働する複数のブラケット本体であって、前記患者の歯の所望の移動を達成するために前記臨床医によって選択された前記１次移動、２次移動および／または３次移動を付与するよう、前記歯科矯正治療計画を受ける前記歯に臨床医が選択した量の力の伝達を個別におよび／またはまとめて容易にする、複数のブラケット本体とを含む、歯科矯正ブラケット。
【請求項２２】
前記プラットフォームベースと協働する前記ブラケット本体は、前記歯科矯正治療計画の間に、前記プラットフォームベースに対して不動または調整可能に可動であり、前記それぞれのブラケット本体は、従来のブラケット本体；ツインブラケット本体；パッシブセルフライゲーションブラケット本体；アクティブセルフライゲーションブラケット本体；前記プラットフォームベースに対して不動または調整可能に可動であり、ニュートラルトルク、高トルクおよび／または低トルクを発生するブラケット本体；並びに、フックおよび／または他の歯科矯正装置を有し、前記歯科矯正治療計画を受ける前記患者の歯にニュートラルトルク、低トルクおよび／または高トルクを発生するブラケット本体、をさらに含む、請求項２１に記載の歯科矯正ブラケット。
【請求項２３】
前記プラットフォームベースは、作製後に、前記歯科矯正治療計画の間、前記患者の歯に及ぼされることが可能な、臨床医によって選択された所定量のトルクを提供するために変更可能な十分な材料厚さを有する後側接合面を有する、請求項２２に記載の歯科矯正ブラケット。
【請求項２４】
患者の歯の前側接合面に隣接して嵌合可能に、取り外し可能に配置されるプラットフォームベースであって、前記患者の歯が多段階矯正治療計画を受け、前記プラットフォームベースが前側接合面および後側接合面を有する、プラットフォームベースと、
前記プラットフォームベースの前記前側接合面と個別に、嵌合可能に、連続的に協働するように動作可能であり、前記多段階歯科矯正治療計画の個々の段階を実施する複数のブラケット本体と、
前記プラットフォームベースの前記後側接合面と一体形成され、前記患者の歯の前記前側接合面に対して並置される後側接合面をさらに有するパッドであって、前記パッドは、様々な程度のトルクおよび他の力を付与するように歯科矯正治療計画を受ける前記患者の歯に対して所定の配向で前記プラットフォームベースと協働する前記それぞれのブラケット本体を配置する所定の可変厚さ寸法およびトポグラフィを有し、合わせて前記患者の歯が有する歯列矯正異常を矯正するパッドと、
を含む、歯科矯正ブラケット。
【請求項２５】
前記パッドは、前記プラットフォームベースの前記後側接合面に一体形成された前側接合面を有し、前記パッドの前記後側接合面は、当該後側接合面に形成された少なくとも１つのキャビティを有し、前記少なくとも１つのキャビティは前記患者の歯の前記前側接合面上に前記パッドを取り外し可能に保持する接着剤源を収容する、請求項２４に記載の歯科矯正ブラケット。
【請求項２６】
前記パッドは、開口部を有する周囲縁部によって少なくとも部分的に画定され、前記パッドの前記後側接合面に形成された前記キャビティは、前記パッドの前記周囲縁部に形成された前記開口部と流体流動連通して連結され、前記パッドが前記患者の歯の前記前側接合面に対して並置関係で配置される場合に、前記キャビティ内に収容される過剰量の接着剤は、前記開口部を通って流体流動的に移動し得る、請求項２５に記載の歯科矯正ブラケット。
【請求項２７】
前記パッドの前記周囲縁部は、患者の歯茎に対して間隔をおいて配置される上側周囲縁部と、前記患者の歯の歯冠に対して間隔を置いて配置される反対側の下側周囲縁部とを有し、前記パッドの前記周囲縁部に形成された前記開口部は、前記パッドの前記下側周囲縁部に形成されている、請求項２６に記載の歯科矯正ブラケット。
【請求項２８】
前記パッドは、所定の異なる厚さ寸法とトポフラフィとを有した、前記プラットフォームベースに取り付けられた場合に所定の量のトルクまたは他の力を前記患者の歯に及ぼすように動作可能である複数のパッドを含み、前記歯科矯正治療計画を実施する臨床医は、所望の歯科矯正治療目的を達成するために、所定量のトルクおよび他の力を前記患者の歯に付与する前記パッドを選択する、請求項２７に記載の歯科矯正ブラケット。
【請求項２９】
前記複数のブラケット本体の少なくともいくつかは、前記プラットフォームベースと嵌合可能に協働する場合に、前記歯科矯正治療計画の間、前記プラットフォームベースに対して調整可能に可動および不動である、請求項２８に記載の歯科矯正ブラケット。
【請求項３０】
前記多段階歯科矯正治療計画は、個別に固有の歯列矯正異常を有する患者の複数の歯の治療を含み、同一のプラットフォームベースが前記患者の歯のそれぞれに用いられ、前記歯科矯正治療計画全体の間に前記患者の歯に取り付けられたままである、請求項２９に記載の歯科矯正ブラケット。
【請求項３１】
前記それぞれのブラケット本体は、従来のブラケット本体；ツインブラケット本体；パッシブセルフライゲーションブラケット本体；アクティブセルフライゲーションブラケット本体；ニュートラルトルク、高トルクおよび／または低トルクを発生するブラケット本体；並びに、フックおよび／または他の歯科矯正装置を有し、ニュートラルトルク、低トルクおよび／または高トルクを発生するブラケット本体、をさらに含む、請求項３０に記載の歯科矯正ブラケット。
【請求項３２】
患者の複数の歯のうちの１つの前側接合面上に取り外し可能に保持されるプラットフォームベースであって、前記患者の複数の歯の少なくともいくつかが、臨床医によって実質的に同時に実施される歯科矯正治療計画を必要とし、前記プラットフォームベースが、前記歯科矯正治療計画の間、前記患者の歯の前記前側接合面に取り付けられたままである、プラットフォームベースと、
前記歯科矯正治療計画を容易にするために、前記プラットフォームベースに対して個別に、嵌合可能に、連続して協働し、部分的に回転することが可能な複数のブラケット本体であって、前記それぞれのブラケット本体が、それぞれ、前記患者の隣接する歯に配置される隣接ブラケット本体に対して垂直位置を有し、各ブラケット本体は中央領域を有するアーチワイヤスロットを画定し、さらに所与の基準線に沿って配向され、前記基準線が、前記アーチワイヤスロットの前記中央領域と、前記歯科矯正治療計画を受ける前記患者の他の隣接する歯に配置される他のブラケット本体の他のアーチワイヤスロットの中央領域との間に延在する、複数のブラケット本体と、
前記歯科矯正治療計画を受ける前記それぞれの患者の歯の前記前側接合面に取り外し可能に配置される前記各ブラケット本体それぞれの前記アーチワイヤスロット間に延在し、前記各ブラケット本体それぞれのアーチワイヤスロット内に収容される、アーチワイヤであって、前記アーチワイヤスロット内に配置される前記アーチワイヤを強制的に係合させることによって、前記ブラケット本体の部分的な回転が、臨床医が前記患者のそれぞれの歯に所定量のトルクを付与することを可能にし、前記所定量のトルクの調整および／または前記プラットフォームベースに取り外し可能に係合する前記ブラケット本体の交換が、前記アーチワイヤスロットの中央領域が前記所定の基準線に沿って、かつ前記患者の隣接する歯に配置される前記ブラケット本体の前記アーチワイヤスロットに対して実質的に同じ垂直位置に、実質的に配向されたままである間に行われる、アーチワイヤと、
を含む、歯科矯正ブラケット。
【発明の詳細な説明】
【技術分野】
【０００１】
本発明は、歯科矯正ブラケットに関し、より詳細には、プラットフォームベースを含む歯科矯正ブラケットに関し、そのプラットフォームベースは、患者の歯に取り付けられ、さらに、臨床医によって確立された多段階歯科矯正治療計画またはプランの実施を容易にするために、異なる設計の複数（多数）のブラケット本体と嵌合可能に、動作可能に協働する。
【背景技術】
【０００２】
特許文献１および特許文献２（それらの内容は参照により本明細書に組み込まれる）において、歯科矯正ブラケットが記載されており、アーチワイヤと組み合わせて使用される場合、アーチワイヤの臨床的に予め定められた操作なしに患者の歯の１次移動、２次移動および３次移動を提供し、アーチワイヤは横断配置アーチワイヤスロットに収容される。これらの係属中の米国特許出願に開示されている本発明の様々な形態は、これまで利用されてきた歯科矯正装置では不可能であった臨床上の利点を多くの患者に提供する。
【０００３】
概して、１次移動は一般的に歯の回転および歯のイン／アウト制御と考えられる。さらに、２次移動は近心および／または遠心の角度付け（ａｎｇｕｌａｔｉｏｎ）または上昇（ｅｌｅｖａｔｉｏｎ）での歯根の「傾斜移動（ｔｉｐｐｉｎｇ）」および／または歯位置の圧下と呼ばれることが多い。さらに、３次移動または「カップル（ｃｏｕｐｌｅｓ）」は、フレアまたは垂直配向から最終的な所望位置への歯の軸方向傾斜を生じさせる「トルク」を表出させる。臨床医らは理想的な歯の配置を達成するために最終的な所望の歯位置を達成すべく、イン／アウト、アップ／ダウン、傾斜移動、トルクを表出させるように円および矩形断面のアーチワイヤをごく初期の利用時から屈曲させる必要があった。この行動は長い期間と熟練した診療技術とを要するだけでなく、大半の臨床医は空間全面に印加される治療用の力を制御することがほぼ不可能であった。その結果、患者の治療期間は甚だしく長くなることが多く、適用される治療用の力が長期間にわたり患者の骨と組織に悪影響をもたらした。
【０００４】
理解すべきであるが、臨床医は、限定されないが、異常に対処するように設計された市販されている歯科矯正装置；すでに市販されている歯科矯正装置を使用した臨床医が経験した成功；臨床医が学び、次いで現在の患者負担および歯列矯正異常の治療経験に基づく新しい歯科矯正診療および装置を実施するのに必要な時間、を含む多くの要因に基づいて、定期的に再発する歯の異常のための好ましい歯科矯正治療計画またはプランを示した。
【０００５】
治療する臨床医を含む多くの個人は、人間性が主張して、患者の緊急のニーズ、治療時間の遅延、新しい治療および装置の利用における不確かな歯科矯正結果、および診療において時として何百人もの患者の治療プランを操作、変更することに付随する金銭上の影響のために、新しい治療を実施することが困難になることが多いことが分かる。これらの懸念および他の懸念は、新しい診療および装置の採用を遅らせる原因となることが多い。このような新しい治療や装置の導入の遅れは、臨床過誤とは関係ないが、実証された改善された歯科矯正治療技術の実施の遅れは、患者の最善の利益に関与しないことが多く、長期の患者の治療時間を確実にもたらすことが多い。
【０００６】
様々な歯列矯正疾患の治療において、治療する臨床医は、多段階治療計画またはプランを示すことが多い。これらの歯科矯正治療計画は、所与の治療期間内に治療計画を完了するために、多くの異なる設計の歯科矯正装置または歯科矯正ブラケットの利用を必要とすることが多い。歯科矯正治療期間中、臨床医は、患者の歯から所与の歯科矯正装置またはブラケットを取り出し、次にそれを別の装置と交換する必要があることが多い。この歯科矯正装置またはブラケットの交換は、臨床医への患者の訪問；歯から歯科矯正装置を取り外すこと；先の歯科矯正装置を新しい装置に交換することを必要とする。これらの歯列矯正臨床医への繰り返しの訪問は、患者にとって時間がかかることが多く、患者によって何らかの不快感が経験されることが多い。所与の歯科矯正治療計画またはプランでは、この事象は歯科矯正治療期間中に複数回発生することが多い。この歯科矯正ブラケットを患者の歯に配置し、次いで除去するプロセスは、時間がかかることが多く、患者および臨床医が求める歯科矯正治療目的を達成するために、患者の歯の所望の位置への移動を最終的に遅らせる。
【０００７】
これまでに利用されてきた多くの歯科矯正装置は、前述の係属中の米国特許出願に記載されているような歯科矯正装置を含み、多大な活躍で稼働している一方、上記段落に記載されているように、そのような先行技術の歯科矯正装置の利用に付随する多くの欠点が残っている。この場合もやはり、治療時間は延長されることが多く、臨床医は、患者にとって満足のいく持続的な治療結果を達成するために必要な所望の１次移動、２次移動および３次移動を達成することが困難であることが引き続き分かった。新しい歯科矯正ブラケットであって、上記の目的を達成し、患者の快適性を向上することをさらに容易にし、治療する臨床医が、すでに精通している（慣れ親しんだ）広範囲の歯科矯正装置の中から選択し、次いでそれらを選択された患者治療計画またはプランの実施で効率的に利用する良い機会を得ることを可能にする新しい歯科矯正ブラケットが本出願の主題である。
【先行技術文献】
【特許文献】
【０００８】
【特許文献１】米国特許出願第１３／７４５，６３８号明細書
【特許文献２】米国特許出願第１３／９７０，１００号明細書
【発明の概要】
【０００９】
本発明の第１の態様は、歯科矯正ブラケットに関し、患者の歯の前側接合面に隣接して嵌合可能に、取り外し可能に配置される、後側接合面を有するプラットフォームベースを含み、患者の歯は、患者が有する歯列矯正異常を治療するために臨床医によって提供される多段階歯科矯正治療計画を受け、歯科矯正治療計画は、患者の歯が様々な程度のトルクおよび／または他の力を受けることを必要とし、合わせて歯列矯正異常を矯正し、プラットフォームベースは、治療を行う臨床医によって選択された多段階歯科矯正治療計画全体にわたって、患者の歯に取り付けられたままである。
【００１０】
本発明の別の態様は、歯科矯正ブラケットに関し、臨床医によって選択される歯科矯正治療計画をさらに必要とする患者の歯の前側接合面に取り外し可能に保持されたプラットフォームベースと；治療を行う臨床医による患者の歯科矯正治療計画を容易にするために、プラットフォームベースと個別に、嵌合可能に、連続して協働することが可能で、且つ、歯科矯正治療計画の間、患者の歯の前側接合面からプラットフォームベースを取り外すことがない、複数のブラケット本体と、を含む。
【００１１】
本発明のさらなる別の態様は、歯科矯正ブラケットに関し、歯科矯正ブラケットは、臨床医によって決定された多段階歯科矯正治療計画を受ける患者の歯に取り外し可能に取り付けられたプラットフォームベースであって、プラットフォームベースが歯科矯正治療計画の期間中、患者の歯に取り付けられたままであり、臨床医によって選択された歯科矯正治療計画が、臨床医が歯科矯正治療計画を受ける患者の歯に１次移動、２次移動および／または３次移動を付与することを必要とし得る、プラットフォームベースと；臨床医によって選択される複数のブラケット本体であって、歯科矯正治療計画の期間中の所定の選択された期間中に、プラットフォームベースと個別に、連続的に、取り外し可能に、嵌合可能に協働し、患者の歯の所望の移動を達成するために臨床医によって選択された１次移動、２次移動および／または３次移動を付与するよう、歯科矯正治療計画を受ける歯に臨床医が選択した量の力を伝達するのを個別におよび／またはまとめて（集合的に）容易にする、複数のブラケット本体と、を含む。
【００１２】
本発明のさらに別の態様は、歯科矯正ブラケットに関し、歯科矯正ブラケットは、患者の歯の前側接合面に隣接して嵌合可能に、取り外し可能に配置されるプラットフォームベースであって、患者の歯が多段階矯正治療計画を受け、プラットフォームベースが前側接合面および後側接合面を有する、プラットフォームベースと；プラットフォームベースの前側接合面と個別に、嵌合可能に、連続的に協働するように動作可能であり、多段階歯科矯正治療計画の個々の段階を実施する、複数のブラケット本体と；プラットフォームベースの後側接合面と一体形成され、患者の歯の前側接合面に対して並置された後側接合面をさらに有する、パッドであって、パッドが、様々な程度のトルクおよび他の力を付与するために歯科矯正治療計画を受ける患者の歯に対して所定の配向でプラットフォームベースと協働するそれぞれのブラケット本体を配置する所定の可変厚さ寸法およびトポグラフィ（形状；ｔｏｐｏｇｒａｐｈｙ）を有し、合わせて患者の歯が有する歯列矯正異常を矯正するパッドと、を含む。
【００１３】
本発明のこれらの態様および他の態様については、以下により詳細に検討する。
【図面の簡単な説明】
【００１４】
本発明の好ましい実施形態を、以下の添付図面を参照して以下に説明する。
【００１５】
【図１】本発明の歯科矯正ブラケットの１つの形態の側方立面斜視図である。
【図２】各次の移動を示す患者の歯の簡略拡大図である。
【図３】図１に示す歯科矯正ブラケットの第１の形態の側方立面図である。
【図４】ゲート下の構造を示すためにゲートを取り除いた、図１に示す歯科矯正ブラケットの第１の形態の前側立面図である。
【図５】図１に示す歯科矯正ブラケットの特徴を形成するブラケット本体の部分斜視側方立面図である。
【図６】本発明において有用なプラットフォームベースの第１の形態の部分拡大斜視側方立面図である。
【図７】本発明において有用なブラケット本体インサートの第１の形態の拡大斜視側方立面図である。
【図８】本発明の歯科矯正ブラケットの第２の形態の前側立面図である。
【図９】本発明の特徴を形成する、プラットフォームベースの第２の形態の拡大斜視側方立面図である。
【図１０】本発明の特徴を形成するプラットフォームベースの第２の形態の拡大側方立面図である。
【図１１】図１０から９０度ずれ、本発明の特徴を形成するプラットフォームベースの第２の側方立面図である。
【図１２Ａ】プラットフォームベースの一部を形成し、本発明の特徴であるパッドの１つの可能な形態の拡大側方立面図である。
【図１２Ｂ】プラットフォームベースの一部を形成する本発明の特徴である別の可能な形態のパッドの拡大側方立面図である。
【図１３】本発明の特徴を形成するブラケット本体インサートの第２の形態の拡大斜視図である。
【図１４】図８の線１４−１４に沿った歯科矯正ブラケットの第２の形態の部分縦横断面図である。
【図１５】本発明の第２の形態の分解横断面図であり、本発明の特徴である第２のプラットフォームベースと嵌合可能に協働することが可能なブラケット本体の一形態を示す。
【図１６】図１０に示す第２のプラットフォームベースと動作可能に協働可能なブラケット本体の別の形態の分解縦横断面図である。
【図１７】第２のプラットフォームベースと動作可能に協働することが可能であり、さらに本発明の特徴を形成する別のブラケット本体のさらに別の分解縦横断面図である。
【図１８】本発明の特徴を形成する、第２のプラットフォームベースと嵌合可能に協働するブラケット本体のさらに別の分解縦横断面図である。
【図１９】本発明の歯科矯正ブラケットの別の形態の拡大分解縦横断面図である。
【図２０】本発明において有用なパッドの１つの形態の拡大後斜視図である。
【図２１】本発明において有用なパッドの別の形態の拡大後斜視図である。
【図２２】本発明の歯科矯正ブラケットの別の形態の拡大分解縦横断面図である。
【図２３】本発明の別の可能な形態の分解側立面図である。
【図２４】本発明の可能な形態のさらに別の分解側立面図である。
【図２５】本発明において有用な可能なパッドのトポグラフィの拡大後斜視図である。
【図２６】本発明のさらに別の形態の拡大分解斜視図である。
【図２７Ａ−２７Ｂ】本発明の特徴を有する２つの可能な歯科矯正ブラケットの形態の側方立面図を示す。
【図２８Ａ−２８Ｃ】アーチワイヤをともに使用した場合に、アーチワイヤにトルクを及ぼす３つの代替位置における本発明の側方立面図を示す。
【図２９】本発明の歯科矯正ブラケットの一形態の拡大斜視図である。
【図３０】図２９に示す本発明の歯科矯正ブラケットの形態の第２の拡大斜視図である。
【図３１】本発明において有用なブラケット本体の拡大後斜視図である。
【図３２】本発明において有用なブラケット本体インサートの拡大前斜視図である。
【図３３】本発明の一形態において有用なパッドの前斜視図である。
【図３４】本発明において有用なプラットフォームの前平面図である。
【図３５】本発明の１つの形態において有用なプラットフォームベースの拡大分解側方立面図である。
【図３６】本発明の一形態で有用なプラットフォームベースのさらに別の形態の拡大分解側方立面図である。
【発明を実施するための形態】
【００１６】
本発明の第１の形態は、概して、図１以降に参照符号１０で示される。本発明の目的のために、本発明の様々な形態は、以下に記載するように、患者が有する１つまたは複数の歯列矯正異常を治療するために臨床医によって提供される、多段階歯科矯正治療計画またはプランを実施するために使用されることが理解されよう。本発明の歯科矯正ブラケット１０は、図２から分かるように、適切な接着剤または他の手段によって、患者の歯１１に、特に、その前側接合面１２に取り外し可能に取り付けられる。種々の形態の歯科矯正ブラケット１０が以下で検討され、記載されるアーチワイヤや他の歯科矯正装置と組み合わせて使用される場合、歯科矯正ブラケット１０はトルクおよび／または他の力の程度を変化させることができるように動作可能であり、組み合わさって患者の歯が有する歯列矯正異常を矯正する。歯１１に印加される力は、患者の歯１１に個別に強制的に作用する複数の選択的トルクエクスプレッションの形態であり得る。患者の歯は、歯根１１Ａと歯冠１１Ｂとを含む。この特許出願の目的のために、以下に使用する「トルクエクスプレッション（ｔｏｒｑｕｅ  ｅｘｐｒｅｓｓｉｏｎ）」という用語は、患者の歯１１を近心／遠心方向に存在する軸であるＸ軸を中心に回転させる力として定義される。特に、本発明の歯科矯正ブラケット１０は、患者の歯科矯正治療の間に、矩形アーチワイヤの、臨床的な所定の操作、屈曲、捻りおよび／またはその他の回転なしに、あるいは同じアーチワイヤを異なるサイズの他のアーチワイヤと頻繁に交換せずに、図２に見られる１次移動１３、２次移動１４および３次移動１５をそれぞれ達成するために用いることができる。勿論、後述する他の装置および手段によって、他の力を患者の歯１１に印加することができる。さらに、本出願で後に検討するように、多段階歯科矯正治療計画全体にわたる患者の治療は、以下に説明するように、プラットフォームベースを患者の歯から取り外すことなく完了まで進め得るが、プラットフォームベース上に連続的に取り外し可能に取り付けられた個々のブラケット本体は、治療を行う臨床医の臨床判断に基づいて治療期間中に複数の他の臨床医が選択したブラケット本体と定期的に交換し得る。本発明１０は、記載するように、プラットフォームベースと動作可能に且つ嵌合可能に協働することができる様々なブラケット本体を使用することによって、臨床医が患者の歯１１の１次移動、２次移動および３次移動を達成する新規な手段を提供し、それによって患者の治療時間を大幅に短縮し、さらに、優れた治療結果を達成する。本発明は、また、公知であり、治療を行う臨床医が最も精通している先行技術の装置または診療を利用することによって、これまで不可能であった方法で患者の快適性を高める。
【００１７】
本願で先に検討するように、歯の移動は空間の３平面で定義される。これに関し、これらの各面での移動は、それぞれ１次移動１３、２次移動１４および３次移動１５に分類される。図２から分かるように、１次移動１３は一般的に回転および／またはインアウト移動とみなされる。これは咬合側から見ることのできる移動を指す。一方、２次移動１４は傾斜移動と呼ばれることが多く、頬舌または唇舌側から見ることができる。これらは、咬合−歯肉方向への移動または頬舌若しくは唇舌軸を中心とした傾斜移動を含む。一般的な問題として、上記軸を中心とした回転は、通常、患者の歯１１の歯根１１Ａまたは歯冠１１Ｂの近心または遠心方向への傾斜移動を引き起こす。２次移動１４は、それぞれの歯１１の歯根を平行にするとともに、所定の歯を上昇または下降させるために使用される。最後に、「トルク」と一般に考えられる３次移動１５は、近心−遠心側または頬舌断面から見ることができる。３次移動１５は、通常、近心−遠心軸を中心にした移動を指す。この特定の移動は、適切な切歯または唇舌若しくは頬舌傾斜を達成しようとする際に重要となることが多い。この場合もやはり、１次移動、２時移動および３次移動は図２に最も詳しく示しており、参照符号１３、１４、１５でそれぞれ示されている。
【００１８】
第１の形態
図１以降に示す本発明の第１の形態では、歯科矯正ブラケット１０は、プラットフォームベース２０を含み、プラットフォームベース２０は本体２１を有し、本体２１は、前側接合面２２、後側接合面２３を画定し、さらに周囲縁部２４を有する。前側接合面２３は、通常、図示されていない適切な接着剤によって患者の歯１１の前側接合面１２に取り付けられる。プラットフォームベース２０は、作製後に、十分な材料厚さを有する後側接合面２３を有し、所定の矯正治療計画の間に患者の歯に及ぼすことが可能な臨床医に選択される所定量のトルクを提供するように変更することができる。プラットフォームベースの材料厚さは、プラットフォームベース２０の作製中、先の歯科矯正装置で提供された材料の厚さよりも相対的に言って厚い。しかし、このさらなる材料は、製造業者が独自の治療計画を有する患者の歯列矯正異常に対処するために利用され得る特注の歯科矯正ブラケットを生み出すためにより大きな柔軟性を提供する。
【００１９】
次に図６を参照すると、本発明の第１の形態１０、より具体的にはプラットフォームベース２０の前側接合面２２は、概して参照符号３０で示される連結部または連結領域を含む。連結部または連結領域３０は、図６に実質的に凹形状に示された湾曲ダブテール（蟻継ぎ、鳩尾；dovetail）形状スロット３１によって部分的に画定される。しかし、本発明の形態は、凹状ダブテール形状スロットとして図示されているが、本発明の形態を作製し得、湾曲ダブテール形状スロット３１が、凸状湾曲形状または実質的に平面形状を有することが等価に実行可能である。したがって、本発明は図示されるものに限定されるべきではない。したがって、凸状、凹状および／または潜在的に平坦な構成のいずれかの湾曲ダブテール形状スロットが、本発明の作製の際に等価に採用することができると認識されるべきである。上述の連結部３０は、この第１の図示されたプラットフォームベース２０を、後述するように様々なブラケット本体と共に使用され得る「万能」ベースとする。記載する構成では、プラットフォームベース２０は、パッシブライゲーション（ｐａｓｓｉｖｅ  ｌｉｇａｔｉｏｎ）、アクティブライゲーション（ａｃｔｉｖｅ  ｌｉｇａｔｉｏｎ）、または従来の連結ブラケットを使用するブラケット本体と共に用いることができる。この特徴を考慮して、臨床医は、歯科矯正治療計画の実施の間に、歯科矯正ブラケットを交換する際に、プラットフォームベース２０を取り外す必要がない。むしろ、臨床医は、ブラケット本体を連結部３０から外し、次いで、多段階歯科矯正治療計画の実施に採用される臨床医によって選択された利益を達成する代替のブラケット本体を再び取り付けるだけでよい。先に検討したように、プラットフォームベース２０は、歯科矯正治療の全時間中に歯１１上に取り付けられたままとすることが可能であり、それによって治療を迅速化し、患者にとって全体の治療計画をより快適なものにする。湾曲ダブテール形状スロット３１は、一対の間隔をあけて配置された側壁３２によって少なくとも部分的に画定される。さらに、連結部３０は、本明細書では３３Ａおよび３３Ｂとそれぞれ示される、対向側面を有する中央隆起領域３３によって少なくとも部分的に画定され、中央隆起領域は湾曲ダブテール形状スロット３１の対向側面に位置する。中央隆起領域３３Ａおよび３３Ｂはそれぞれ湾曲ダブテール形状スロット３１と同じ曲率の湾曲上側接合面３４を有する。各中央隆起領域３３は、内方に延在するフランジ部３５を含み、フランジ部は、より詳細には後に検討するように、可動ブラケット本体を摺動可能で嵌合可能に捕捉し、可動ブラケット本体と協働するための手段を提供する。さらに、概して参照符号３６で示される複数の係合領域が、各中央隆起領域３３に形成され、湾曲上側接合面３４を通って下方に延在する。係合領域は、以下でより詳細に説明するように、ブラケット本体インサート（挿入体）を嵌合可能に収容し、協働するように個別に寸法決めされている。図６の検討から言及されるように、複数の係合領域３６は所定の空間パターンで配置されており、その空間パターンは、以下に説明するように個々のブラケット本体によってさらに画定されるアーチワイヤスロット内に収容されるアーチワイヤに所定量のトルクまたは他の力を付与するようにプラットフォームベース２０と可動で嵌合可能に協働するブラケット本体の回転可能な配向を調整可能に位置決めするための簡便な手段を提供する。
【００２０】
例えば、図１〜図１０に示す歯科矯正ブラケット１０は、プラットフォームベース２０上に支持される、またはプラットフォームベース２０と可動で嵌合可能に協働する可動ブラケット本体４０を含む。この点に関して、ブラケット本体４０は、前側接合面４２と、反対側の後側接合面４３とによって少なくとも部分的に画定される本体４１を有する。さらに、ブラケット本体は、対向する第１の（近心）側面４４と第２の（遠心）側面４５それぞれによって画定され、それらの側面は相互に所定の距離をおいてさらに配置される。さらに、ブラケット本体４０は上側接合面４６と反対側の下側接合面４７を含む。上側接合面４６と下側接合面４７は、当該技術分野において周知のタイウィング（ｔｉｅ  ｗｉｎｇ）をそれぞれ画定する。図１〜図１０から分かるように、ブラケット本体４０は、概して参照符号５０で示され、当該技術分野において周知の可動ゲートを搭載する。可動ゲート５０は、図示されるブラケット本体４０によってさらに画定されるアーチワイヤスロットに対して、第１の下または開放位置５２と第２の上または閉鎖位置５３との間の、画定された移動経路５１に沿って往復移動（ｔｒａｖｅｌ）または移動（ｍｏｖｅ）するように動作可能である。ブラケット本体４０の前側接合面４２と可動に協働するゲート５０は、後に検討するように、概して参照符号６０で示す横断配置アーチワイヤスロット内にアーチワイヤを選択的に保持するように動作可能である。横断配置アーチワイヤスロット６０はブラケット本体４０の第１の近心側面４４に隣接する第１の端部６１と、第２の側面４５に隣接する反対側の第２の遠心端６２とを有する。アーチワイヤスロット６０は、上または上側接合面６３と反対側の下または下側接合面６４によって少なくとも部分的に画定される。アーチワイヤスロット６０を少なくとも部分的に画定する上面と下面は実質的に平行で相互に間隔をおいて配置される。上面と下面との間に所定の空間距離をおくことで、アーチワイヤスロット６０は後述するようにアーチワイヤを収容することが可能である。さらに、本体４１は上面６３と下面６４との間を延在する支持または凹壁６５（図３）を画定するが、より詳細には後述するように、結果として生じるアーチワイヤスロット６０を画定していない。アーチワイヤスロット６０は参照符号６６で示す中央領域または中央部を有する。アーチワイヤスロット６０は後述するように、プラットフォームベース２０に可動に連結された後に、垂直面と水平面の両方において可動である。垂直面と水平面のいずれかにおけるブラケット本体４０の移動によるアーチワイヤスロットの回転は、アーチワイヤスロット６０の中央領域６６を中心として維持される（図２８Ａ〜図２８Ｃ参照）。本発明のこの特徴は、歯科矯正疾患を矯正するために本発明を採用する臨床医に大きな利点と恩恵を提供する。図示する本発明の構成では、より詳細に後述するように、アーチワイヤスロット６０は後述するブラケット本体インサートの使用などの様々な他の構造手段によって可変となる所定の断面寸法を有すると理解すべきである。
【００２１】
説明する歯科矯正ブラケット１０の第１の形態、より具体的には図１〜図７に示す本発明の第１の形態は、後側接合面４３を有するブラケット本体４０を含む。後側接合面４３は、ブラケットベース２１の連結部３０と嵌合可能に、可動に係合する相補的で略均一の湾曲面を画定する。上述したように、ブラケットベース２１の連結部３０は所定の形状および寸法を有する湾曲ダブテール形状スロット３１を画定し、ブラケット本体４０は相補的で均一の湾曲面８０と、図に示すようにプラットフォームベース２０の連結部３０に可動に、嵌合可能に係合する嵌合構造とをさらに含む。後側接合面４３を少なくとも部分的に形成するこの相補的で略均一の湾曲面８０は、中央隆起領域３３の湾曲上側接合面３４と可動に嵌合可能に協働し、中央隆起領域３３は連結部３０の特徴をさらに形成する。また、ブラケット本体４０は湾曲雄ピン部材８１を含み、湾曲雄ピン部材８１は上記嵌合構造を少なくとも部分的に形成し、ブラケット本体４０の略均一の湾曲後側接合面８０と一体形成され、さらに、プラットフォームベース２０に形成される湾曲ダブテール形状スロット３１内に相補的に、摺動可能に、嵌合可能に、係合可能に収容される寸法とされる。この特徴は、様々なブラケット本体４０がプラットフォームベース２０と嵌合可能に可動に協働するように設計可能な手段を提供する。この特徴はまた、プラットフォームベース２０が臨床医によって選択された歯科矯正治療計画またはプラン全体を通じて歯１１に取り付けられたままであることを可能にする。理解すべきであるが、プラットフォームベース２０に対するブラケット本体４０の回転は、プラットフォームベース２０に形成された湾曲ダブテール形状スロット３１に沿って雄ピン部材８１を移動させる際に有効である。雄ピン部材８１は、本体８２によって少なくとも部分的に画定され、本体８２は中央支持ポストまたはシャフト領域８３を含み、中央支持ポストまたはシャフト領域８３は中央隆起領域３３を共に形成するフランジ部３５間に画定される空間内に配置あるいは収容される。中央支持部またはシャフト８３は遠心端８４を有する。拡張横断配置フランジ部８５は、遠心端８４と一体形成される。フランジ部８５の幅寸法は、湾曲ダブテール形状スロット３１の一部を個別に形成する側壁３２間で測定される距離未満である。さらに、同じフランジ部８５の厚さ寸法は、フランジ部３５と湾曲ダブテール形状スロット３１との間で測定される距離未満である。その湾曲構成では、拡張フランジ８５は、湾曲ダブテール形状スロット３１に設けられるものと略同様の曲率の相補湾曲面８６を有する。寸法設計上、雄ピン部材８１は湾曲ダブテール形状スロット３１に嵌合可能に嵌着（ｉｎｔｅｒｆｉｔ）し、または嵌合可能に協働し、および湾曲ダブテール形状スロット３１に沿って摺動することによって、ブラケット本体４０を湾曲ダブテール形状スロット３１内で、または湾曲ダブテール形状スロット３１に対して少なくとも部分的に回転可能とする。さらに、この特徴は、治療する臨床医の所望する臨床上のいくつかの追加の利点を実現するために、ブラケット本体４０をプラットフォームベース２０から容易に取り外し、その後、他の形態のブラケット本体と交換することができる手段を提供する。プラットフォームベース２０が患者の歯１１に適切に取り付けられると、横断配置アーチワイヤスロット６０は、プラットフォームベース２０に対して所与の所定の配向を有し、本発明で提供される構成により、横断配置アーチワイヤスロット６０の所定の配向に大きな影響を及ぼすことなく、１次移動１３、２次移動１４および３次移動１５として示される個々のトルクエクスプレッションを容易に調整することができる。これは、それぞれ図３および図２８Ａ、図２８Ｂおよび図２８Ｃを参照することによって最も詳しく分かる。これは、プラットフォームベース２０に対するブラケット本体４０の部分的な回転が、異なるトルクエクスプレッションが患者の歯１１の部分の移動および矯正のために提供されている間、横断配置アーチワイヤスロット６０を垂直方向に調整しないため、歯科矯正治療の大幅に進歩した点である。これは、以前に開示された歯科矯正装置よりも非常に重要かつ新規な利点である。
【００２２】
図示するように、本発明で説明する歯科矯正ブラケット１０は、アーチワイヤスロット６０内に収容されるアーチワイヤ９０を収容してアーチワイヤ９０と協働するように動作可能である。アーチワイヤ９０は従来設計のものであり、さらに対向する上面９１と下面９２および上面と下面を接続する側壁９３によって画定され、さらに実質的矩形状または正方形状断面を形成する。図示する構成では、アーチワイヤ９０は横断配置アーチワイヤスロット６０内に収容され、図示するように、アーチワイヤ９０と組み合わさって機能するブラケット本体４０は、患者の口腔内で臨床的に望ましい配向および恩恵を達成するような方法で患者の歯を移動するよう、患者の歯１１に個別に強制的に作用する複数の選択的トルクエクスプレッション１３〜１５それぞれを提供するために、水平面と垂直面の両方に沿って調整可能である。本発明１０は、ブラケット本体インサート１００を含み、それは図７を参照すると最も詳しく分かる。ブラケット本体インサート１００は、アーチワイヤ９０がアーチワイヤスロット６０に収容される前にアーチワイヤスロット６０に収容される。ブラケット本体インサート１００は第１の端部１０１と反対側の第２の端部１０２とを有する。ブラケット本体インサート１００は、上または上側接合面１０４と反対側の下または下側接合面１０５とによって画定される細長本体１０３をさらに有する。さらに、本体１０３はアーチワイヤスロット６０の後壁を形成する前側対向面１０６と、ブラケット本体４０によって画定される支持または凹壁６５上に並置された載置関係でまたは支持または凹壁６５に当接して載置される後側接合面１０７と、によってさらに画定される。ブラケット本体インサート１００の上面１０４と下面１０５との間で測定される高さ寸法は、アーチワイヤスロット６０を少なくとも部分的に画定する上面６３と下面６４との間で測定される距離未満である。本体１０３の高さ寸法により、本体１０３をアーチワイヤスロット６０内に収容することを可能にし、本体１０３は、さらにブラケット本体によって形成される支持または凹壁６５と当接して嵌合収容され載置される。ブラケット本体インサート１００の本体１０３は、前側接合面１０６と後側接合面１０７との間で測定されるように実質的に一定の厚さ寸法を有し得、またはさらに可変寸法を有し得ると理解するべきである。そのため、ブラケット本体インサート１００は、本発明の利点の一部を提供するように、結果として生じるアーチワイヤスロット６０の断面寸法を選択的に調整するための簡便な手段を提供し、本発明の利点の一部は、特に、横断配置アーチワイヤスロット６０に収容されるアーチワイヤ９０の臨床上の所定の操作を行わずに患者の歯１１の１次移動１３、２次移動１４および３次移動１５を提供する歯科矯正ブラケット１０を提供することを含む。
【００２３】
ブラケット本体インサート１００の第１の形態は、ブラケット本体インサートの第１の端部１０１と第２の端部１０２にそれぞれ位置する第１の係合部１１１と第２の係合部１１２それぞれをさらに含む。特に、第１の係合部１１１と第２の係合部１１２はブラケット本体４０の第１の側面４４と第２の側面４５を超えて外方に延在し、臨床医（図示せず）が容易にブラケット本体インサート１００を視覚的に識別し得る簡便な手段を提供することによって、より詳細には後で検討するようにブラケット本体インサート１００を適切に位置決めする、あるいは他の方法で調整し得る。各係合部１１１、１１２はそれぞれ外側接合面１１３を有し、外側接合面１１３には窪みまたはキャビティ（空洞部）１１４が形成され、窪みまたはキャビティ１１４により、ブラケット本体インサート１００をアーチワイヤスロット６０から取り外すのに十分な力を簡便に発揮するために、臨床医は例えばピンセットなどのツール（工具）をその窪みに挿入できる。図７から分かるように、ブラケット本体インサート１００の第１の形態はまた、ブラケット本体の第１の端部に対して垂直に下方に延在する第１の係合部材１１５を含む。第１の係合部材は、ブラケット本体４０の第１の側面に形成された第１の通路７１に摺動可能に収容されるような寸法である。さらに、ブラケット本体インサート１００は第２の係合部材１１６を含み、第２の係合部材は第１の係合部材１１５よりも長さが短く、ブラケット本体４０の第２の側面に形成される第２の通路７２に収容される。第１の係合部材１１５は、ブラケットベース２１に形成される複数の係合領域３６のうちの１つに嵌合可能に収容されるように動作可能な遠心端１１７を有する。認識するように、ブラケット本体インサート１００の本体がアーチワイヤスロット６０内に適切に挿入されると、係合部材１１５の遠心端１１７は、プラットフォームベース２０に個別に形成された複数の係合領域３６のうちの１つに収容され、これにより、プラットフォームベース２０に対して適切な回転可能な配向でブラケット本体４０を固定的に回転可能に位置決めすることができる。さらに、図面から認識するように、ブラケット本体インサート１００の本体１０３は様々な厚さ寸法で作製することができ、その結果、歯科矯正ブラケット１０を供給することができる手段であって、患者の歯の移動に影響を及ぼす臨床医に選択されカスタマイズ可能なトルクエクスプレッションを有し得る手段を提供する。さらに、アーチワイヤスロット６０内での本体１０３の方向を逆転させることによって、同じブラケット本体インサート１００はプラットフォームベース２０に対する５つの可能な異なる角度の配向でブラケット本体を適切に位置決めすることが可能であることが認識される。これは、同じ歯科矯正ブラケット２０を使用する臨床医に複数の治療オプションを提供して患者の歯の調整不良を矯正する。これらの複数の配置または配向は、患者の歯への低、中または高トルクの印加を可能にし、治療を行う臨床医が患者に対して確立した臨床的利益を達成し得る。この特徴がプラットフォームベース２０と組み合わされ、作製後に様々な厚さに機械加工されると、今までは利用できなかった複数の治療オプションが治療を行う臨床医にこれから利用可能になる。
【００２４】
したがって、最も広い態様の１つでは、本発明は、本願の様々な形態で示す歯科矯正ブラケットに関し、歯科矯正ブラケットはプラットフォームベース２０を含み、プラットフォームベース２０は臨床医によって決定された多段階歯科矯正治療計画またはプランを受ける患者の歯１１に取り外し可能に取り付けられる。プラットフォームベース２０は、歯科矯正治療計画の期間中、患者の歯１１に取り付けられたままであり、臨床医によって選択された歯科矯正治療計画は、臨床医が、歯科矯正治療計画を受ける患者の歯１１に、１次移動１３、２次移動１４および／または３次移動１５をそれぞれ付与することを必要とし得る。本発明１０は、複数のブラケット本体４０の使用を可能にし、複数のブラケット本体４０は臨床医によって選択され、歯科矯正治療計画の間の所定の選択期間中にプラットフォームベース２０とさらに個別に、連続的に、取り外し可能に、可動に、嵌合可能に協働し、歯１１に臨床医によって選択された量の力の伝達をさらに個別におよび／またはまとめて容易にし、歯１１は１次移動１３、２次移動１４および／または３次移動１５をそれぞれ付与するように歯科矯正治療計画を受ける歯であり、１次移動１３、２次移動１４および／または３次移動１５は患者の歯１１の臨床的に望ましい量の移動を達成するために臨床医によって選択される。図示する構成では、提供されたプラットフォームベース２０は、作製後に、十分な材料厚さを有する後側または他の外側接合面２３を有し、作製後に、選択された歯科矯正治療計画の間に患者の歯１１に及ぼされ得る臨床医によって選択される所定の量のトルクを提供するように変更可能である。
【００２５】
本発明では、歯科矯正ブラケットのいくつかの形態は、上記のように、プラットフォームベース２０の第１の形態を含み、プラットフォームベース２０は臨床医によって選択された多段階歯科矯正治療計画を容易にするように、複数のブラケット本体と個別に、嵌合可能に、連続的に協働するように動作可能である。前の段落では、１つの可能なブラケット本体４０について、かなり詳細に説明した。本発明の特徴の１つは、臨床医が歯科矯正装置を利用することを奨励する歯科矯正ブラケットまたは装置、および選択された歯科矯正治療計画の間に患者の治療を促進し、患者の不快感を回避するために、臨床医が精通している矯正治療方法に関する。この出願で先に述べたように、診療臨床医が直面する数多くの緊急の問題のために、新しい歯科矯正技術、診療および装置の採用および習得は、新しい技術を習得し、患者負担の競争的需要と患者のために既に確立されている既存の治療プランを上手く処理するのに時間を要するため、遅れることが多い。本発明は、歯科矯正臨床医が、歯科矯正臨床医に精通している歯科矯正装置および技術を使用し続け得る手段を提供し、既に確立されている矯正治療プランまたは計画を進め得るが、矯正治療プランまたは計画は、治療プランを迅速にするために患者の歯１１から歯科矯正ブラケット全体を取り外す必要がもはやないため、迅速なものとなる。むしろ、臨床医は、治療プランまたは計画の間に患者の歯１１に永久的に取り付けられたままであるプラットフォームベース２０に取り外し可能に取り付けられる必要なブラケット本体を取り外し、次いで交換するだけでよい。
【００２６】
図示する構成では、本明細書で検討するいくつかのブラケット本体は、前述したようなプラットフォームベース２０と嵌合可能に協働し、多段階歯科矯正治療計画の実施の間、プラットフォームベースに対して調整可能に可動である。さらに、臨床医によって決定されるように、本明細書で開示されるブラケット本体の少なくともいくつかは、多段階歯科矯正治療計画の間、プラットフォームベースと嵌合可能に協働し、可動ではない。さらに、ブラケット本体の少なくともいくつかは、開示されるように、プラットフォームベースと嵌合可能に協働する場合に、歯科矯正治療計画の間、プラットフォームベースに対して調整可能に可動および不可動であることを図１以降の検討から理解するべきである。そのようなことは、前述したブラケット本体インサート１００の使用によって達成することが可能である。ブラケット本体インサート１００は、前述したプラットフォームベース２０と協働する場合に、１次移動１３、２次移動１４および３次移動１５をそれぞれ達成するために、ブラケット本体４０をプラットフォームベース２０に対して所与の配向に配向または配置するのに効果的であることに注目すべきである。
【００２７】
第２の形態
本発明の歯科矯正ブラケットの第２の形態は、概して参照符号２００で示され、図８以降に示されている。多くの点で、歯科矯正ブラケット２００の第２の形態は、図１〜図７に先に開示されたものと同様の特徴を有する。歯科矯正ブラケットの第２の形態は、図２に示すように、概して参照符号２０１で示されるプラットフォームベースによって、患者の歯１１の前側接合面１２に対して選択的に移動するように支持されている。プラットフォームベースは、適切な接着剤または当該技術分野において公知の他の手段によって、患者の歯の前側接合面１１に取り外し可能に固定される。プラットフォームベース２０１は、構造体２０に関して上述したものと同様である。プラットフォームベース２０１は、外側または前側接合面２０３と、反対側の後側接合面２０４とを有する本体２０２を有する。さらに、プラットフォームベースは、概して参照符号２０５で示される周囲縁部を有する。次に図１２Ａおよび図１２Ｂをそれぞれ参照すると、これらの図から、プラットフォームベース２０１の第２の形態は、２つのディスクリート（目立たない；ｄｉｓｃｒｅｅｔ）部品で作製されていることが認識され、これらは、患者の歯１１の前側接合面に対して並置関係で配置されるパッドまたはベース２１０と、パッドまたはベース２１０と一体形成された被覆プラットフォーム２０１であって、その上でブラケット本体が、後述するように可動に協働する、被覆プラットフォーム２０１とである。図１２Ａおよび図１２Ｂにそれぞれ示されるように、パッド／ベース２１０の２つの可能な形態が作製され得、先に開示したように、これまで矯正することが困難または不可能であった所与の患者の歯列矯正異常に対処または歯列矯正異常を矯正する際に、多種多様なオプションを臨床医に与えるために、歯科矯正ブラケット２００を作製後に機械加工するあるいは別の方法で形成することが可能となるよう、パッド／ベース２１０の２つの可能な形態は十分な材料厚さを提供する。図１２Ａおよび図１２Ｂから分かるように、パッドまたはベース２１０は、第１の形態２１１および第２の形態２１２を含む２つの可能な形態を有することを理解するべきである。パッド／ベース２１０は、後述するように、通常は残りのプラットフォームと一体形成されており、作製時に、隣接するプラットフォームに固定される前側接合面２１３と、歯１１の前側接合面に対して並置された外側または後側接合面２１４とを有する。図１２Ａの検討で認識されるように、第１の形態２１１では、余分な材料２１５がパッド／ベースの後側接合面上に作製および／または堆積され、それにより、組み立てられた歯科矯正ブラケット２００が、その後、作製後に、機械加工されあるいは別の方法で調整され、それは、臨床医が、このような特注の作製を必要とする異常を有する患者に使用するために作製された特注の歯科矯正装置を保持することを可能にする。一方、図１２Ｂを参照すると、第２の形態２１２では、余分な材料２１５を後側接合面２１４に堆積させてもよく、したがって、この場合もやはり、もう１つの異なる形状のパッド２１０をプラットフォームに取り付けることが可能となり、よって臨床医は、患者に影響を及ぼすより広い範囲の歯列矯正異常に対応することができる作製された一連の歯科矯正ブラケットを有することが可能となる。したがって、臨床医は、特定のトルクブラケットを創出することができ、作製後、フライス加工または他の機械加工を行うことができ、一連の歯科矯正ブラケットを作製することが可能になり、さらに患者が有する異常な（特有の）歯の輪郭（外形）に合った形状にすることができる。この発明の特徴は、従来利用されている歯科矯正ブラケットでは利用できていない。
【００２８】
次に図９を参照すると、プラットフォームベース２０１は、上述したように、その前側接合面２０３と一体形成された連結部２３０を含む。連結部２３０は、本発明の第１の形態に関して検討した連結部３０と動作が同様である。この点に関して、図９以降に示されている連結部２３０は、湾曲ダブテール形状スロット２３１を含むかまたは画定し、以下に説明するようにブラケット本体と摺動可能に嵌合可能に連結するように動作可能である。湾曲ダブテール形状スロット２３１は、参照符号２３２で示された相互に間隔をおいて配置された角のある側壁によって部分的に画定される。さらに、前側接合面２０３は、湾曲上側接合面２３３によって部分的に画定され、以下に説明するようにブラケット本体と協働するように動作可能である。湾曲上側接合面２３４は、部分的に湾曲ダブテール形状スロット２３１を個別に形成する内側延在フランジ部２３５を部分的に画定する。本発明の第１の形態に示すものと同様に、複数の係合領域２３６が湾曲上側接合面２３４に形成され、湾曲上側接合面２３４を通って下向きに延在する。係合領域２３６は、先に説明したのと同様の方法で動作する。係合領域２３６は、プラットフォームベース２０１の反対側の周囲縁部２０５上に位置し、相互に実質的に整列されることは、図９に関して注目すべきである。本発明２００のこの形態の動作については、以下により詳細に検討する。
【００２９】
次に図１４を参照すると、歯科矯正ブラケット２００の第２の形態はブラケット本体２４０を含み、ブラケット本体２４０は本発明の第１の形態［図１〜図７］に開示されているように、ブラケット本体４０と幾分類似するように作動する。図１４以降に示されているブラケット本体２４０は、前側接合面２４２と、反対側の後側接合面２４３とを有する本体２４１を有する。本体２４１はさらに、上側接合面２４４と、反対側の下側接合面２４５とを有する。上述したものと同様に、ブラケット本体２４０は、アーチワイヤスロット２６０へのアクセスを可能にする可動ゲート２５０を含む。アーチワイヤスロット２６０は、上側接合面２６１と、それと離間して配置された反対側の上側接合面２６２とによって部分的に画定される。支持または凹壁２６３は、それぞれ上側接合面２６１と下側接合面２６２との間に延在している。本体２４１、特に後側接合面２４３は、湾曲面２８０を有する。さらに、分かるように、本体はまた、後側接合面２４３と一体形成された湾曲雄ピン部材２８１によって部分的に画定される。湾曲雄ピン部材は、相補湾曲面２８３によって部分的に画定され、連結部２３０によって画定された湾曲ダブテール形状スロット２３１内に嵌着関係で嵌合可能に収容されるように動作可能である。図１４以降に示すように、通路２８４が本体２４１内に形成され、支持または凹壁２６３間に湾曲雄ピン部材２８１を通って延在し、相補湾曲面２８３で終端する。通路２８４は、第１の端部２８５と、反対側の第２の端部２８６とを有する。図１４から分かるように、通路２８４は、相補湾曲表面２８３から支持または凹壁２６３の方向に延在する拡張第１部分２８７と、第１の部分よりも小さい断面寸法を有し、さらに、第１の部分２８７から支持または凹壁２６３に延在する第２の部分２８８とを有することが認識される。この通路の機能については、以下でさらに詳しく検討する。
【００３０】
図１５から分かるように、ブラケット本体２４０の第２の形態は、従来の設計のアーチワイヤ２９０と協働するように動作可能である。このアーチワイヤ２９０の特性は、本発明の第１の形態に関して検討され、この構造に関するさらなる検討は保証されていない。ブラケット本体２４０は、概して参照符号３００で示され、図１３の検討によって最も詳しく理解されるブラケット本体インサートと協働するように同様に動作可能である。ブラケット本体インサート３００は、それぞれ対向する第１の端部３０１および第２の端部３０２と、細長本体３０３とを有する。細長本体は、それぞれ上面３０４および下面３０５と、それぞれ前側接合面３０６および後側接合面３０７とを有する。ブラケット本体インサート１００の第１の形態と同様に、ブラケット本体インサート３００は、それぞれ第１の係合部３１１および第２の係合部３１２を有する。第１の係合位置および第２の係合位置はそれぞれ、窪み、キャビティ、または図示のリブ部材３１４が形成された外側接合面３１３を有し、窪み、キャビティ、または図示のリブ部材３１４は、アーチワイヤスロット２６０内にブラケット本体インサート３００を移動させるために、ツールまたは臨床医の指さえもそれに係合し、ブラケット本体インサート３００に力を及ぼすことを可能にする。この場合もやはり、ブラケット本体１００の第１の形態と同様に、ブラケット本体３００の第２の形態は、第１の係合部材３１５および第２の係合部材３１６をそれぞれ含み、第１の係合部材３１５および第２の係合部材３１６は連結部２３０に形成された個々の係合領域２３６と取り外し可能に協働するように動作可能である。図１３を参照して最も詳しく分かるように、ブラケット本体インサート３００は、中央ポスト（柱）またはシャフト３２０を含み、それは通路２８４内に収容されるように寸法決めされている。中央ポストまたはシャフト３２０は、遠心端３２１を有し、遠心端３２１には、拡張移動制限部材３２２が取り付けられている。図面から分かるように、この移動制限部材は、通路２８４の拡張第１部分２８７の内側直径寸法よりも小さい外側直径寸法を有する。移動制限部材３２２は、ブラケット本体インサート３００の移動経路３２３を画定する。図１４に示すように、移動経路は、ブラケット本体インサート３００が支持または凹壁２６３に対して並置関係で載置された第１の位置３２４を含み、したがって支持または凹壁２６３はアーチワイヤスロット２６０を少なくとも部分的に画定する。さらに、ブラケット本体インサート３００は、第１の位置３２４から図１４の仮想線で示される第２の位置３２５まで可動であり、それは、第１の係合部材３１５および第２の係合部材３１６それぞれが連結部分２３０に形成される個々の係合領域２３６との係合または協働から外れて移動することを可能にする。ブラケット本体インサートは、係合領域２３６から係合解除されると、臨床医がアーチワイヤを収容する適切な位置にブラケット本体２４０を再配向することを可能にするために、ブラケット本体２４０をプラットフォームベース２０１に対して回転させることを可能にする。ブラケット本体インサート３００は、適切に位置決めされると、第２の位置３２５から第１の位置３２４に戻され、第１の係合部材３１５および第２の係合部材３１６を、複数の係合領域２３６の１つ内で連結、嵌着および嵌合い関係で収容する。これにより、ブラケット本体２４０は、プラットフォームベース２０１に対して固定された配向で効果的に保持される。この構造は、ブラケット本体インサート３００がブラケット本体２４０から取り外されることを防止し、患者の治療の間にこの部品（構成要素）の喪失をさらに防止する。さらに、この特徴により、臨床医が、もはや非常に小さい物体を手動で操作したり取り扱ったりする必要がなくなり、非常に小さい物体をアーチワイヤスロット２６０内に適切に配置する必要がなくなるので、臨床医の利便性が向上する。
【００３１】
プラットフォームベース２０１に対するブラケット本体２４０の異なる位置への回転を可能にするために、ブラケット本体インサート３００がプラットフォームベース２０１から係合解除される場合に、中央ポスト／シャフト３２０と拡張移動制限部材３２２とが合わせて、臨床医が容易に決定できる触覚手段を提供するので、歯科矯正ブラケット２００の第２の形態は本発明の第１の形態よりもさらに別の利点を提供する。
【００３２】
本発明２００は、臨床医が最も詳しく精通している方法で診療することを可能にする歯科矯正ブラケットの完全なラインを作製し得る簡便な手段を提供する。それは、さらに、臨床医が、確立し成功した歯科矯正治療計画を引き続き使用し、従来型と考えられる歯科矯正ブラケットのスタイルを使用することを可能にする。図面から分かるように、本発明は、パッシブセルフライゲーションブラケット３３０、図示されているようなセルフライゲーションを支援する従来のツインブラケットで有用であり、弾性リガチャー（弾性結紮線）３４１が用いられ、ブラケット本体は、従来の設計のフック３４２と協働するようにさらに作製され得る。さらに、ブラケット本体は、多くの歯列矯正施術者が精通している従来のツインブラケット３５０の形態で製造され得る。さらに、従来の金属クリップ３６０（図１８）を使用する従来のツインブラケットを、本発明の第１の形態および第２の形態に関して説明したのと同じプラットフォームベース２０／２０１上で利用し得る。したがって、本発明は、治療を必要とする患者の歯１１にプラットフォームベース２０／２０１を設置し得、その後、臨床医は、非常に精通している様々な種類のブラケット本体を用いることができ、追加の訓練がほとんどまたはまったく必要ではなく、プラットフォームベース２０／２０１の歯１１からの除去を必要としない装置および技術を利用する歯科矯正治療計画を実施し得る便利な手段を提供する。これはもちろん、治療プランを迅速化し、患者の快適性を向上させる。
【００３３】
第３の形態
本発明の歯科矯正ブラケットの第３の形態は、概して参照符号３００で示され、図１９以降に示されている。歯科矯正ブラケットの第３の形態は、図２に示すように、概して参照符号３０１で示すプラットフォームベースによって、患者の歯１１の前側接合面１２に対して選択的に移動するように支持されている。プラットフォームベースは、適切な接着剤、または当該技術分野で知られている他の手段によって、患者の歯の前側接合面に取り外し可能に固定される。プラットフォームベース３０１は、構造体２０に関して上述したものと幾分類似している。プラットフォームベース３０１は、外側または前側接合面３０３と、反対側の後側接合面３０４とを有する本体３０２を有する。さらに、プラットフォームベースは、概して参照符号３０５で示されている周囲縁部を有する。プラットフォームベース３０１の全体的な厚さ寸法は、上述した本発明の２つの前記形態よりも低減されている。これは、参照符号３０６の線で示されている。次に図１９以降を参照すると、プラットフォームベース３０１の第３の形態は、本来、２つのディスクリート部分で作製されているこれらの図から認識され、これらは患者の歯１１の前側接合面に対して並置関係で配置されたパッド／ベース３１０と、パッド３１０と略一体形成された被覆又は並置プラットフォーム３０１とであり、以下で説明するように、ブラケット本体はプラットフォーム３０１と可動に協働する。図面に示すように、パッド３１０の様々な形態が作製され得、先に開示したように、臨床医にこれまで矯正することが困難であったか、または不可能であった患者の歯列矯正異常に対処または歯列矯正異常を矯正するための多種多様なオプションを与えるために、パッド３１０を作製後、機械加工あるいは他の方法で形成することができるように十分な材料厚さを提供する。図１９以降に示すように、パッド３１０は、第１の形態３１１と第２の形態３１２とを含む代替の形態を有することを理解すべきである。パッド３１０は、後述するように、プラットフォーム３０１と一体形成されており、作製時に、続いて隣接するプラットフォーム３０１に固定される前側接合面３１３と、歯１１の前側接合面に対して並置された外側または後側接合面３１４とを有する。図面の検討によって認識するように、第１の形態３１１において、余分な材料が、パッド３１０の前側接合面３１３上にて様々な位置に作製および／または堆積され、したがって、パッド３１０をその後、作製後に機械加工あるいは他の方法で調整することが可能であり、次いでプラットフォーム３０１に取り付けられる。この製造技術により、臨床医は、そのような特注の装置を必要とする歯の異常を有する患者に使用するために作製された特注の歯科矯正装置を固定し得る。したがって、臨床医は、患者固有のトルクブラケットを創出することができ、作製後にフライス加工を行うことができ、一連の歯科矯正ブラケットを供給することができ、患者が歯に所定のトルクまたは他の力を保持している可能性のあるまたは印加している可能性のある異常な歯の輪郭に合うように成形することができる。この特徴は、従来、作製、供給された歯科矯正ブラケットでは利用できなかった。
【００３４】
パッド３１０は、本発明の第３の形態３００で使用されるように、後側接合面３１４に、図２５を参照して最も詳しく示されるキャビティ３２０を形成している。キャビティ３２０は、概して参照符号３２１で示される隆起周囲縁部によって部分的に画定される。周囲縁部３２１は、上側または第１の部分３２２と、概して参照符号３２３で示された反対側の第２のまたは下側部分とを有する。図面から分かるように、開口部または通路３２４は、周囲縁部３２１の下側または第２の部分３２３に形成される。図面から分かるように、キャビティ３２０は、参照符号３２５で概して示される複数のチャネルを画定し得る。当業者には認識されるが、接着剤３２６がキャビティ３２０内に堆積され、パッド３１０を患者の歯１１の前側接合面１２に取り外し可能に取り付けるように動作可能である。図面から理解されるように、キャビティ３２０に形成された複数の流路３２５は、周囲縁部３２１の下側部分３２３に形成されている開口部３２４に対して流体流動（流体連通）関係で連結される。その結果、パッド３１０が患者の歯の前側接合面と接触するように押圧されると、キャビティ３２０に予め堆積された過度の接着剤が開口３２４を通って流出し、その後患者の歯１１上へのパッド３１０の取り付け後に臨床医によって除去することができる。図面から理解されるように、周囲縁部３２１の上側または第１の部分３２２は、図示されていない患者の歯茎に対して間隔をおいて配置され、開口３２４は、患者の歯１１Ｂの歯冠に対して間隔をあけて配向される。開口部３２４の配向は、使用される接着剤が歯科矯正治療計画を受ける患者の組織と接触しないことを保証するために、この位置に配置する。
【００３５】
この場合もやはり、図１９以降を参照すると、上述したように、プラットフォームベース３０１は、その前側接合面３０３と一体形成された連結部３３０を含むことが分かる。連結部３３０は、本発明の第１および第２の形態に関して説明したように、連結部３０と動作が同様である。この点に関して、連結部３３０は、図示するように、湾曲ダブテール形状スロット３３１を含むか、または画定し、以下に説明するように、湾曲ダブテール形状スロット３３１は複数のブラケット本体と摺動可能に、嵌合可能に連結するように動作可能である。湾曲ダブテール形状スロット３３１は、参照符号３３２によって示されている相互に間隔をおいて配置される角のある側壁によって部分的に画定される。さらに、前側接合面３０３は、湾曲上側接合面３３３によって部分的に画定され、以下に説明するように湾曲上側接合面３３３はブラケット本体と協働するように個別に動作可能である。湾曲上側接合面３３４は、内側延在フランジ部３３５を部分的に画定し、内側延在フランジ部３３５は少なくとも部分的に湾曲ダブテール形状スロット３３１を個別に形成する。前述の本発明の形態で図示し説明したのと同様に、複数の係合領域３３６は湾曲上側接合面３３４の中に形成されており、湾曲上側接合面３３４を通って下方へまたは湾曲上側接合面３３４内に下方へ延在している。それぞれの係合領域３３６は、前述したものと同様の方法で動作する。プラットフォームベース３０１の反対側の周囲縁部３０５に配置された係合領域３３６は、相互に略同軸上に整列されていることに図１９以降に関して注意すべきである。本発明のこの形態の動作は、以下でより詳細に説明される。この場合もやはり、プラットフォームベース３０１は低減された厚み部分３０６を有し、増加された材料量は通常、パッド３１０の前側接合面上に堆積され、その後、作製後にパッド３１０は、患者の適切な歯科矯正治療のために所望の量のトルクを提供するよう、プラットフォームベース３０１に取り付けられる前に機械加工され、あるいは他の方法で修正される。
【００３６】
さらに図１９以降を参照すると、歯科矯正ブラケット３００の第３の形態は、ブラケット本体３４０を含み、ブラケット本体３４０は本発明の第１の形態に開示されているようにブラケット本体４０と同様の方法で作動する（図１〜図７）。ブラケット本体３４０は、図示のように、前側接合面３４２と、反対側の後側接合面３４３とを有する本体３４１を有する。本体３４１は、さらに、上側接合面３４４と、反対側の下側接合面３４５とを有する。上述したものと同様に、ブラケット本体３４０は、アーチワイヤスロット３６０へのアクセスを可能にする可動ゲート３５０を含む。アーチワイヤスロット３６０は、上側接合面３６１と、これに対して離間して配置された反対側の下側接合面３６２とによって部分的に画定される。支持または凹壁３６３は、上側接合面３６１と下側接合面３６２との間に延在している。本体３４１、特に後側接合面３４３は、湾曲面３８０を有する。さらに、分かるように、本体はまた湾曲雄ピン部材３８１によって部分的に画定され、湾曲雄ピン部材３８１はさらに後側接合面３４３と一体形成されている。湾曲雄ピン部材は、相補湾曲表面３８３によって少なくとも部分的に画定され、連結部３３０によって画定される湾曲ダブテール形状スロット３３１内に嵌着関係で嵌合可能に収容されるようにさらに動作可能である。図面から分かるように、通路３８４は本体３４１に形成され、支持凹壁３６３間に、湾曲雄ピン部材３８１を通って延在し、さらに相補湾曲面３８３で終端する。通路３８４は、第１の端部３８５と、反対側の第２の端部３８６とを有する。図面から分かるように、通路３８４は、相補湾曲面３８３から支持または凹壁３６３の方向に延在する拡張第１部分３８７と；第１部分よりも小さい断面寸法を有し、さらに第１部分３８７から支持凹壁３６３まで延在する第２部分３８８と、を有することが認識される。この通路の機能は、本発明の第２の形態で先に開示したものと同様である。
【００３７】
図面から分かるように、ブラケット本体３４０の第３の形態は、従来の設計のアーチワイヤ３９０と協働するように動作可能である。このアーチワイヤ３９０の特徴は、本発明の第１および第２の形態に関して検討されており、この要素の構造に関するさらなる検討は保証されていない。ブラケット本体３４０は、参照番号４００で概して示されるブラケット本体インサートと協働するように同様に動作可能であり、本明細書に提供される図面において最も詳しく理解される。ブラケット本体インサート４００は、反対側の第１端部および第２端部（図示せず）と、細長本体４０３とを有する。細長本体は、上面４０４および下面４０５それぞれと、前側接合面４０６および後側接合面４０７それぞれとを有する。ブラケット本体インサートの他の形態と同様に、上述したように、ブラケット本体インサート４００は、図示されていない第１および第２の係合部を有する。第１および第２の係合部の各々は、窪み、キャビティ、または先に開示したようなリブ部材が形成された外側接合面を有し、それらは、ブラケット本体インサート４００をアーチワイヤスロット３６０内に移動させるために、ツールまたは臨床医の指さえもそれらに係合することを可能にし、ブラケット本体インサート４００に力を及ぼすことを可能にする。この場合もやはり、上述したように、ブラケット本体の第１および第２の形態と同様に、ブラケット本体インサート４００の第３の形態は、図示されていない第１および第２の係合部材を含み、連結部３３０に形成されている個々の係合領域３３６と取り外し可能に協働するように動作可能である。図面に最も詳しく示されているように、ブラケット本体インサート４００は、中央ポストまたはシャフト４２０を含み、中央ポストまたはシャフト４２０は本体３４１に形成された通路３８４内に収容されるように寸法決めされている。中央ポストまたはシャフト４２０は、遠心端４２１を有し、遠心端４２１には、拡張移動制限部材４２２が取り付けられている。図面から分かるように、この移動制限部材は、通路３８４の一部の内径寸法よりも小さい外径寸法を有する。移動制限部材４２２は、本発明の第１および第２の形態に関して先に検討されたものと同様の、図示しない移動経路を画定する。前述のものと同様に、ブラケット本体インサート４００は、ブラケット本体インサート４００が支持または凹壁３６３に対して並置関係で載置された第１の位置の間の移動経路（図示せず）に沿って可動であり、支持または凹壁３６３はしたがってアーチワイヤスロット３６０を少なくとも部分的に画定する。さらに、ブラケット本体インサート４００は、この第１の位置から第２の位置（図示せず）まで可動であり、第２の位置は、上述したように、第１および第２の係合部材が、連結部３３０に形成されている個々の係合領域３３６との係合または協働から外れることを可能にする。ブラケット本体インサート４００は、それぞれの係合領域３３６から外れると、臨床医がブラケット本体を上述したようにアーチワイヤ３９０を収容する適切な位置に再配向することを可能にするために、プラットフォームベース３０１に対してブラケット本体３４０を回転させることを可能にする。ブラケット本体インサート４００は、適切に配置されると、第２の位置から第１の位置に戻され、第１および第２の係合部材を、複数の係合領域３３６の１つの中で、連結、嵌着および嵌合い関係に収容する。これにより、ブラケット本体３４０は、プラットフォームベース３０１に対して所定の固定された配向で効果的に保持される。上述したように、この構造は、ブラケット本体インサート４００がブラケット本体３４０から取り外されるのを防止し、患者の治療中にこの構成要素の喪失をさらに防止する。さらに、この特徴により、臨床医は、もはや非常に小さな物体を手動で操作したり取り扱ったりする必要がなくなり、それをアーチワイヤスロット３６０内に適切に配置する必要がなくなるので、臨床医の利便性が向上する。
【００３８】
第３の形態３００は、本発明の第１および第２の形態で上述した構造と同様に、臨床医が最も精通した方法で診療することを可能にする歯科矯正ブラケットの完全なラインを作製し得る簡便な手段を提供する。それは、さらに、臨床医が、確立し成功した歯科矯正治療計画を引き続き使用し、現在比較的従来型と考えられている歯科矯正ブラケットのスタイルをさらに使用することを可能にする。提供される図面から分かるように、本発明の第３の形態３００は、図示されているようなセルフライゲーションを支援する、パッシブセルフライゲーションブラケット５００、従来のツインブラケット６００において有用であり、弾性リガチャー６１０が使用され、ブラケット本体は、図示されていないフックおよび他の従来の歯科矯正装置と協働するようにさらに作製され得る。結果として、本発明は、治療を必要とする患者の歯１１にプラットフォームベース２０／２０１／３０１を設置することができ、その後、臨床医が非常に精通した様々な異なるブラケットであって、追加の訓練がほとんどまたはまったく必要ない装置および技術を使用した歯科矯正治療計画を実施することができるブラケットを使用する簡便な手段を提供する。さらに、本発明の第３の形態３００は、プラットフォームベース３０１を歯１１から取り外す必要がない。これは、もちろん、選択された治療計画を迅速化し、さらに、歯科矯正治療を受ける患者の快適性を向上させる。
【００３９】
第４の形態
本発明の第４の形態５００は、図２６から始まる図面に最も詳しく示されている。本発明の第４の形態５００は、先に開示した他の形態と全く同様の方法で動作する。しかし、第４の形態は、様々な歯列矯正異常の治療における歯科矯正ブラケットの動作を強化する他の新規な特徴を有する。図面に最も詳しく示すように、歯科矯正ブラケット５００は、パッド５１１によって部分的に画定されるプラットフォームベース５１０を含む。パッド５１１は本体５１２を有する。本体は、前側接合面５１３と後側接合面５１４とによって画定される。パッド５１１の後側接合面は、前述の歯科矯正治療計画を受ける患者の歯１１に取り付けられる。本体５１２は、さらに、周囲縁部５１５を有する。先に述べたようにおよび図面から分かるように、罫書き（引っ掻き）配向線５１６は、前側接合面５１３に沿って延在し、臨床医に対して簡便な視覚的基準点を提供するので、臨床医はパッド５１１を患者の歯１１の前側接合面１２に適切に位置決めすることができる。図面から分かるように、パッド５１１は、プラットフォームクレードル（受け台；ｃｒａｄｌｅ）５２０を含み、プラットフォームクレードル５２０はその前側接合面５１３と一体形成されている。プラットフォームクレードルは、複数の有角（角度が付いた）前側接合面５２１によって画定される所定の形状を有する。さらにまた、図面から分かるように、少なくとも１つの連結部材５２２は、複数の有角前側接合面５２１のうちの１つに取り付けられ、有角前側接合面５２１に対して前方外方に延在している。連結部材は、所定の形状およびサイズを有する。さらにまた、図面から分かるように、通路５３３は、パッド５１１の後側接合面５１４に形成され、周囲縁部５１５に連通している。通路５３３は、パッドが臨床医によって患者の歯１１の前側接合面１２に取り付けられたときに過剰量の接着剤を放出するために採用される。これは、本発明の先の形態の１つに関して検討された。
【００４０】
歯科矯正ブラケット５００は、概して参照符号５３０で示されるプラットフォームを含む。プラットフォームは、前側接合面５３２と、反対側の後側接合面５３３とを有する本体５３１を有する。図面の検討によって、後側接合面５３３は、パッド５１１およびプラットフォーム５３０が作製後に互いに取り付けられる場合に、後側接合面５３３がプラットフォームクレードル５２０と嵌合可能に協働することが可能な相補形状を有することを理解すべきである。図面に示すように、現在の配置（構成）は、歯科矯正ブラケット５００が、通常の患者の歯１１に用いられる場合にニュートラルトルクを有するように作製されることを可能にする。
【００４１】
本明細書で提供される図面から分かるように、プラットフォーム５３０は連結部５４０を含み、これは本出願で先に説明したものと幾分類似した設計である。したがって、簡潔にするために、本発明の第４の形態５００に関する構造の本質的な特徴のみが本明細書に記載されており、残りの構造は、先に開示したように、本発明の第４の形態において同じままである。特に、連結部５４０は、上述したように、湾曲ダブテール形状スロット５４１を含み、湾曲ダブテール形状スロット５４１は後述するように個々のブラケット本体を嵌合可能に、可動に収容するように動作可能である。さらに、連結部５４０は、湾曲上側接合面５４２を有し、さらに、内方に延在するフランジ部５４３によって少なくとも部分的に画定される。同様に、上述したように、連結部５４０は係合領域５４４を含み、以下に説明するようにブラケット本体インサートをこれと協働させ、さらに臨床医がブラケット本体を一旦患者の歯１１上に適切に位置決めすると、プラットフォームベース５１０に対して調整可能にブラケット本体が位置決めされることを可能にする。この場合もやはり、係合領域５４４が連結部５４０の両側に形成されまたは配置され、以下に説明するブラケット本体インサートと協働する。本発明５００のこの形態では、図面から分かるように、通路５４５が、本体５３１の前側接合面５３２から後側接合面５３３まで延在している。この通路５４５は、連結部材５２２と相補的な形状を有し、連結部材５２２は複数の有角前側接合面５２１の少なくとも１つに対して前方外方に延在し、有角前側接合面５２１はプラットフォームクレードル５２０を画定する。連結部材５２２は、通路５４５内に収容される。連結部材５２２は、その後、組立工程中に溶接によってプラットフォーム５３０に固定される。連結部材５２２および通路５４５は、プラットフォームをパッド５１１に対して適切かつ便利に配向し、次いで、従来の技術を用いて、機械オペレータによって所定の位置にしっかりと溶接または取り付ける簡便な手段を提供する。パッド５１１およびプラットフォーム５３０であるこれらの特定の部品は非常に小さく、したがって、通路５４５内の連結部材５２２のこの配置は、パッド５１１およびプラットフォーム５３０が溶接前に適切に配向され、あるいは他の方法で一緒に取り付けられることを保証することを理解すべきである。
【００４２】
本発明の第４の形態５００は、概して参照符号５５０で示されている複数のブラケット本体を含み、ブラケット本体は以下に簡単にだけ説明するが、これは、本出願でかなり詳細に先に検討したブラケット本体の特徴が、本発明のこの形態と実質的に同一であることが理解されるためである。ブラケット本体５５０は、本明細書で概して従来設計されたツイン歯科矯正ブラケットとして示されている第１の形態５５１と；本明細書でパッシブセルフライゲーションを実施するブラケット本体として図示された第２の形態５５２と、を含み、上述したように可動ゲート５５６をさらに含む。ブラケット本体５５０の各々は本体５５３を含み、本体５５３は前側または外側接合面５５４および反対側の後側接合面５５５によって画定され、後側接合面５５５はプラットフォーム５３０と嵌合可能に可動に協働する。これに関して、ブラケット本体の各々は、アーチワイヤスロット５６０を含み、アーチワイヤスロット５６０は上述した従来の設計のアーチワイヤ５６６を収容するように動作可能である。さらに、それぞれのブラケット本体５５０は湾曲雄ピン部材５６１を有し、湾曲雄ピン部材５６１は、プラットフォーム５３０の連結部５４０によって画定された湾曲ダブテール形状スロット５４１内で摺動可能かつ嵌合可能に収容される寸法である。本発明の先の形態に記載されたものと同様に、通路５６２は、それぞれのブラケット本体５５０に形成され、アーチワイヤスロット５６０と後側接合面５５５との間に延在している。これは、図３１を参照することによって最も詳しく理解される。図２８Ａ〜図２８Ｃから分かるように、ブラケット本体は、組み立てられた場合に、アーチワイヤスロット５６０内に収容されるアーチワイヤ５６６に高トルク５６３（図２８Ａ）、ニュートラルトルク５６４（図２８Ｂ）、低トルク５６５（図２８Ｃ）を実現するために、プラットフォーム５３０に対して所与の所定位置に可動である。前述の図面から分かるように、アーチワイヤ５６６に高トルク５６３、ニュートラルトルク５６４および低トルク５６５を実現または付与するためのブラケット本体５５０の移動は、アーチワイヤスロット５６０が移動全体を通して略同じ平面内に留まるように起こる。本出願で前述したように、これはこれまで採用されてきた歯科矯正ブラケットには利用できなかった本発明の新規な特徴である。この場合もやはり、図２８Ａ、図２８Ｂ、図２８Ｃを参照すると、本発明の発明概念の１つは、患者の複数の歯１１のうちの１つの前側接合面１２に取り外し可能に保持されるプラットフォームベース５１０を含む歯科矯正ブラケット５００に関し、患者の歯１１の少なくともいくつかは、臨床医によって略同時に実施される歯科矯正治療計画を必要とし、プラットフォームベース５１０が歯科矯正治療計画の間に患者の歯の前側接合面に取り付けられたままである。歯科矯正ブラケットは、さらに、歯科矯正治療計画を容易にするために、プラットフォームベース５１０と個別に、嵌合可能に、連続して協働し、プラットフォームベース５１０に対して部分的に回転することが可能な複数のブラケット体５５０を含む。それぞれのブラケット本体５５０は、患者の隣接する歯に配置された隣接するブラケット本体５５０に対して所与の垂直位置を有する。これは、それぞれ図２８Ａ、図２８Ｂ、図２８Ｃの画像を集合的に見ることによって最も詳しく推測される。さらに、これらの同じ図から分かるように、各ブラケット本体５５０は、中央領域５６７を有するアーチワイヤスロット５６０を画定し、所与の基準線５６８に沿ってさらに配向される。所与の基準線５６８は、アーチワイヤスロット５６０の中央領域５６７と、さらに歯科矯正治療計画を受けている患者の他の隣接する歯１１に配置された他のブラケット本体５５０の他のアーチワイヤスロット５６０の中央領域５６７との間に延在する。歯科矯正ブラケット５００はさらに、それぞれのブラケット本体５５０のアーチワイヤスロット５６０の間に延在し、アーチワイヤスロット５６０内に収容されるアーチワイヤ５６６を含み、それぞれのブラケット本体５５０は、歯科矯正治療計画を受ける患者のそれぞれの歯１１の前側接合面１２に取り外し可能に配置される。図２８Ａ、図２８Ｂおよび図２８Ｃに示すブラケット本体５５０の部分的な回転は、臨床医が、アーチワイヤスロット５６０内に配置されたアーチワイヤ５６６を強制的に係合することによって（配置されたアーチワイヤ５６６をアーチワイヤスロット５６０内に強制的に係合することによって）、患者のそれぞれの歯１１に所定量のトルクを付与することを可能にする。理解すべきであるが、患者の歯１１に及ぼされる所定量のトルクの調整、および／またはプラットフォームベース５１０に取り外し可能に可動に係合するブラケット本体５５０の交換は、アーチワイヤスロット５６０の中央領域５６７が、所定の基準線５６８に沿って、および、患者の隣接する歯１１に配置されたブラケット本体５５０のアーチワイヤスロット５６０に対して実質的に同じ垂直位置において配向されながら行われる。この非常に新規な特徴は、例えば、３次移動または制御１５を表出することを含む歯科矯正治療計画を直ちに開始するために、臨床医が複数の歯１１のトルクを調整し、非屈曲アーチワイヤ５６６をブラケット本体５５０に挿入することを可能にする。この特定の特徴は、かなりの患者の治療時間を節約し、患者のそれぞれの歯１１に印加される治療のための力の制御の向上をさらに提供する。
【００４３】
本発明の他の形態と同様に、本発明の第４の形態５００は、ブラケット本体インサート５８０を含み、図面における図２６および図３２によって最も詳しく示されている。ブラケット本体インサート５８０は、上述した本発明の先の形態と同様に作用する。ブラケット本体インサート５８０は、第１の端部５８１および第２の端部５８２をそれぞれ有し、アーチワイヤスロット５６０内に収容されるように寸法決めされた細長本体５８３をさらに含む。細長本体５８３は、アーチワイヤスロット５６０の少なくとも一部を形成する前側接合面５８４と、反対側の後側接合面５８５とを有する。図面から分かるように、ブラケット本体インサート５８０は、第１の係合部材５９１および第２の係合部材５９２をそれぞれ含み、それらは両端の第１の端部５８１および第２の端部５８２それぞれに対して後方外方に延在している。係合部材５９１および５９２は、連結部５４０に形成されるそれぞれの係合領域５４４内に嵌合可能に収容されるように寸法決めされる。前述したように、それぞれの第１の係合部材５９１および第２の係合部材５９２を、係合領域５４４を形成するそれぞれの通路内の個々の収容部に移動させるためのブラケット本体インサート５８０の選択的な移動は、ブラケット本体５５０が、アーチワイヤスロット５６０内に収容された付随するアーチワイヤ５６６に高トルク５６３、ニュートラルトルク５６４または低トルク５６５をそれぞれ付与するように所与の所定の位置に配置されることを可能にする。本発明の形態５００では、図面に最も詳しく示されているように、ブラケット本体インサート５８０は、細長本体５８３の後側接合面に取り付けられ、それに対して後方外方に延在する保持部材５９３を含む。保持部材５９３は、通路５６２内に収容されるように寸法決めされており、通路５６２はアーチワイヤスロット５６０からブラケット本体５５０の後側接合面５５５まで延在している。図面から分かるように、保持部材５９３の遠心端５９４には、長手方向に延在するスロット５９５が形成されている。通路５６２内に保持部材５９３を収容した後、ツールまたは他の器具が利用されて、保持部材５９３の遠心端５９４に力を及ぼし、それによって遠心端５９４の外径寸法を増大させる。遠心端５９４の、その外径寸法を増大させる拡大は、保持部材５９３を通路５６２に摩擦係合させる。この摩擦係合は、より小さな断面寸法のアーチワイヤ５６６がアーチワイヤスロット５６０内で用いられる場合に、ブラケット本体インサート５８０のアーチワイヤスロット５６０内への早期の移動を実質的に妨げる。しかし、連結部５４０の係合領域５４４からの、第１の係合部材５９１および第２の係合部材５９２の係合解除に影響を与えるよう、ブラケット本体インサート５８０の第１の端部５８１および第２の端部５８２に力を及ぼしてブラケット本体インサート５８０をアーチワイヤスロット５６０内に一時的に移動させるために、発生した摩擦は臨床医がそのことについてツールまたは彼らの指を使用することを防ぐには十分ではない。したがって、臨床医は、ブラケット本体インサート５８０をアーチワイヤスロット５６０内に効果的に移動させ、ブラケット本体５５０を連結部５４０に対して回転移動させ得；次いで、この場合もやはり、第１の係合部材５９１および第２の係合部材５９２がブラケット本体５８０を適切な、臨床医が選択した高トルク位置５６３、ニュートラルトルク位置５６４または低トルク位置５６５にそれぞれ取り外し可能に配向する完全着座位置内にブラケット本体インサート５８０を押し戻す。保持部材５９３の拡張遠心端５９４は、ブラケット本体インサート５８０がアーチワイヤスロット５６０から取り外されるのを防止するが、ブラケット本体５５０の回転が達成可能なようブラケット本体インサートの十分な移動を可能にする。
【００４４】
次に図３６を参照すると、別の代替パッドが示されており、参照符号６００で示されている。この場合もやはり、このパッド６００は、他の記載されたパッドについて上述したものと同様の方法で動作し、すなわち、それは、前側接合面６０１と後側接合面６０２とを有し、患者の歯１１の前側接合面１２に取り外し可能に連結される。この特定の変形例では、パッド６００は付加的な材料６０３を含み、付加的な材料６０３は前側接合面６０１上に堆積され、その後、特別な治療を必要とする患者の歯列矯正異常に対処するために臨床医が特注製造されたブラケットを注文することを可能にするよう、作製後に、任意のトポグラフィに機械加工することが可能である。さらにまた、図面に示されるように、代替のプラットフォーム６１０が図示されており、前側接合面６１１と後側接合面６１２とを有する。別のプラットフォーム６１０は、この場合もやはり、上述したように、ダブテール形状スロットまたはチャネル６１３と、係合領域６１４とを有する。この特定の代替の形態では、代替のプラットフォーム６１０の後側接合面６１２は、臨床医が、特別なニーズを有する患者の歯列矯正異常に対処するために所定量のトルクを選択することを可能にする構成（配置）を達成するよう、代替のパッド６００の前側接合面６０１に溶接等によってこの場合も取り付けられる。
【００４５】
操作
本発明の記載された実施形態の動作は容易に明らかであると考えられ、この段階では簡単に要約される。その最も広い態様の１つでは、本発明は、プラットフォームベース２０を含み、さらに患者の歯１１の前側接合面１２に取り外し可能に保持される、歯科矯正ブラケット１０に関する。さらに、本発明１０は、先に開示したような複数のブラケット本体４０を含み、ブラケット本体４０は、歯科矯正治療計画の間に患者の歯１１の前側接合面１２からプラットフォームベース２０を取り除くことなく、治療する臨床医によって患者のために選択される歯科矯正治療計画を容易にするために、プラットフォームベース２０と個別に、嵌合可能に、連続的に協働することが可能である。
【００４６】
先に開示されたように、本発明の一形態では、歯科矯正ブラケット１０は、作製後に、十分な材料厚さを有する後側または外側接合面２３を有し、その材料厚さは、歯科矯正治療計画の間に患者の歯１１に及ぼされ得る選択された所定量のトルクを臨床医に提供するよう、変更することができる。理解すべきであるが、臨床医によって選択されるトルクの量は、ニュートラルであるか、または臨床医によって決定されるさらに他の所与の量であり得る。理解すべきであるが、プラットフォームベース２０と協働する個々のブラケット本体４０は、歯科矯正治療計画の間に、プラットフォームベース２０に対して不動または調整可能に可動である。それぞれのブラケット本体は、従来のブラケット本体２３０、ツインブラケット本体、パッシブセルフライゲーションブラケット本体３３０、アクティブセルフライゲーションブラケット本体３４０、およびニュートラルトルク、高トルクおよび／または低トルクを発生し得るプラットフォームベース２０に対して不動または調整可能に可動なブラケット本体をさらに含む。さらに、プラットフォームベース２０と嵌合可能に協働するブラケット本体のいくつかは、フック３４２および／または他の歯科矯正装置を有し、歯科矯正治療計画を受ける患者の歯１１にニュートラルトルク、低トルクおよび／または高トルクを発生する。
【００４７】
図１８以降に示すように、本発明の他の形態では、歯科矯正ブラケット３００は、プラットフォームベース３０１を含み、プラットフォームベース３０１は患者の歯１１の前側接合面１２に隣接して嵌合可能、取り外し可能に配置される。患者の歯１１は、多段階歯科矯正治療計画を受ける。プラットフォームベース３０１は、前側接合面３０３と後側接合面３０４とを有する。図１８以降に示すような歯科矯正ブラケットは、プラットフォームベース３０１の前側接合面３０３と個別に、嵌合可能に、連続的に協働するように動作可能な複数のブラケット本体３４０を含み、ブラケット本体３４０は多段階矯正治療計画の個別の段階を実施する。歯科矯正ブラケット３００は、図１８以降に示すように、プラットフォームベース３０１の後側接合面３０４と一体形成されたパッド３１０をさらに含み、患者の歯１１の前側接合面１２に対して並置された後側接合面３１４をさらに有する。パッド３１０は、所定の可変厚さの寸法およびトポグラフィを有し、パッド３１０はそれぞれのブラケット本体３４０を配置し、ブラケット本体３４０は患者の歯が有する歯列矯正異常を共に矯正する様々な程度のトルクおよび他の力を付与するよう、歯科矯正治療計画を受ける患者の歯１１に対して所定の配向でプラットフォームベース３０１と協働する。
【００４８】
図１８以降に示され、上述したように、歯科矯正ブラケット３００は、プラットフォームベース３０１の後側接合面３０４と一体形成された、前側接合面３１３を有するパッド３１０を含む。パッド３１０の後側接合面３１４には、少なくとも１つのキャビティ３２０が形成され、キャビティ３２０はパッド３１０を患者の歯１１の前側接合面１２に取り外し可能に保持する接着剤３２６の供給源を収容する。理解すべきであるが、パッド３１０は、周囲縁部３２１によって少なくとも部分的に画定され、周囲縁部３２１には開口３２４が形成されている。パッドの後側接合面に形成されたキャビティ３２０は、パッド３１０の周囲縁部３２１に形成された開口部３２４に対して流体流動関係で連結されている。理解すべきであるが、パッドが患者の歯１１の前側接合面１２に対して並置関係で配置され押圧される場合、キャビティ３２０内に収容された過度の量の接着剤３２６は、開口３２４を通って流体流動的に移動し得る。図示する構成では、パッド３１０の周囲縁部３２１は、患者の歯茎に対して間隔をあけて配置される上または第１の周囲縁部３２２と、患者の歯１１の歯冠に対して間隔をあけて配置される反対側の下または第２の周囲縁部３２３とを有する。パッド３１０の周囲縁部に形成された開口部３２４は、パッド３１０の下または第２の周囲縁部３２３に形成されている。パッド３１０は、所定の異なる厚さ寸法およびトポグラフィを有する複数の形態を含み、プラットフォームベース３０１に取り付けられる場合に所定のトルク量または他の力を患者の歯１１に及ぼすようにさらに動作可能であることを理解すべきである。これに関して、歯科矯正治療計画を実施する臨床医は、所望の歯科矯正治療目的を達成するために、所定の量のトルクおよび他の力を患者の歯１１に付与するパッド３１０を選択することを理解すべきである。上述した本発明の先の形態の場合と同様に、臨床医によって選択される多段階歯科矯正治療計画は、個々の特有の歯列矯正異常を有する患者の複数の歯１１の治療を含む。本発明では、同一のプラットフォームベース３０１が患者の歯１１のそれぞれに用いられ、歯科矯正治療計画全体の間に患者の歯に取り付けられたままである。この場合もやはり、本発明は、従来のブラケット本体；ツインブラケット本体；パッシブセルフライゲーションブラケット本体；アクティブセルフライゲーションブラケット本体；ニュートラルトルク、高トルクおよび／または低トルクを備えたブラケット本体；およびフックおよび／または他の歯科矯正装置を有し、ニュートラルトルク、低トルクおよび／または高トルクを発生するブラケット本体、を含むブラケット本体を利用するように動作可能である。
【００４９】
したがって、本発明はこれまで可能ではなかった臨床医に治療オプションを提供することが分かるであろう。本発明の歯科矯正ブラケットは、プラットフォームベース２０に取り外し可能、嵌合可能に取り付けられることが可能であり、治療計画全体を通じて患者の歯１１に取り付けられたままである複数のブラケット本体を用いることによって、臨床医が患者の所与の治療計画を進めることを可能にする。この新しい歯科矯正ブラケットは、臨床医に利用可能な治療オプションを大幅に向上し、これまで利用可能であったものを超えて患者の治療速度を進め、複数の治療段階を含む歯科矯正治療計画の間に患者の快適性をさらに高める。前述の利点に加えて、製造業者は、同一のプラットフォームベースを利用し、これまで便利に対処できなかった患者の歯の異常に有用となるように作製後に変更可能な同様のパッドをさらに用いる複数のブラケット本体のタイプを作製することが可能であるので、コスト削減の向上を実感するだろう。
【図１】
2018514285.tif 000003
【図２】
2018514285.tif 000004
【図３】
2018514285.tif 000005
【図４】
2018514285.tif 000006
【図５】
2018514285.tif 000007
【図６】
2018514285.tif 000008
【図７】
2018514285.tif 000009
【図８】
2018514285.tif 000010
【図９】
2018514285.tif 000011
【図１０】
2018514285.tif 000012
【図１１】
2018514285.tif 000013
【図１２Ａ】
2018514285.tif 000014
【図１２Ｂ】
2018514285.tif 000015
【図１３】
2018514285.tif 000016
【図１４】
2018514285.tif 000017
【図１５】
2018514285.tif 000018
【図１６】
2018514285.tif 000019
【図１７】
2018514285.tif 000020
【図１８】
2018514285.tif 000021
【図１９】
2018514285.tif 000022
【図２０】
2018514285.tif 000023
【図２１】
2018514285.tif 000024
【図２２】
2018514285.tif 000025
【図２３】
2018514285.tif 000026
【図２４】
2018514285.tif 000027
【図２５】
2018514285.tif 000028
【図２６】
2018514285.tif 000029
【図２７Ａ】
2018514285.tif 000030
【図２７Ｂ】
2018514285.tif 000031
【図２８Ａ−２８Ｃ】
2018514285.tif 000032
【図２９】
2018514285.tif 000033
【図３０】
2018514285.tif 000034
【図３１】
2018514285.tif 000035
【図３２】
2018514285.tif 000036
【図３３】
2018514285.tif 000037
【図３４】
2018514285.tif 000038
【図３５】
2018514285.tif 000039
【図３６】
2018514285.tif 000040
【国際調査報告】
2018514285.tif 000041